(57)【要約】【課題】動画像の予約が重複した場合であっても、利用者が望む動画像を優先して記録することができる記録装置および記録方法ならびにプログラムを提供する。【解決手段】予め設定される提供時間枠に区切られる提供予定に従って提供元から提供され、経時的に変化するコンテンツが、記録部４への記録を予約する記録予約と、提供予定を表わす電子番組案内とに基づいて、画像入出力部２によって取得されて記録部４に記録される。コンテンツの記録は、利用者による指示入力部７の入力操作によって入力される指定情報で指定されるとき、手動予約で予約され、予め設定される条件を満たすとき、自動予約で予約される。提供時間枠が少なくとも部分的に一致して複数のコンテンツが記録予約される重複予約が生じるとき、手動予約を優先させてコンテンツを記録するように、記録部４が中央制御部１１によって制御される。【選択図】      図１４
2004153729.tif 000002
【特許請求の範囲】
【請求項１】
予め設定される提供時間枠に区切られる提供予定に従って提供元から提供され、経時的に変化するコンテンツを取得するコンテンツ取得手段と、
取得したコンテンツを記録する記録手段と、
コンテンツを指定する指定情報を、利用者が入力操作する入力手段と、
入力された指定情報によって指定されるコンテンツの記録を予約する手動予約、および予め設定される条件を満たすコンテンツの記録を予約する自動予約を含む記録予約と、前記提供予定を表す提供予定情報とに基づいて、前記予約されるコンテンツを記録するように記録手段を制御する制御手段であって、提供時間枠が少なくとも部分的に一致する複数のコンテンツの記録が予約される重複予約が生じたとき、手動予約を優先させてコンテンツを記録するように制御する記録制御手段とを備えることを特徴とする記録装置。
【請求項２】
自動予約は、
特定の提供時間枠を繰返して予約する繰返し予約と、
予め設定される嗜好キーワードを含むインデックスに対応するコンテンツを予約するキーワード予約と、
利用者の利用状況に基づいてコンテンツを予約するおすすめ予約との少なくともいずれか２つを含み、
繰返し予約、キーワード予約およびおすすめ予約には、予め定める順に優先順位が設定され、
記録制御手段は、自動予約同士で重複予約が生じたとき、前記優先順位に従って、優先順位の高い予約を優先させて、コンテンツを記録するように制御することを特徴する請求項１記載の記録装置。
【請求項３】
コンテンツ取得手段が予約されていないコンテンツを取得中に、予約されたコンテンツの提供開始時刻に至ったとき、予約されたコンテンツを取得するように、コンテンツ取得手段を制御する取得制御手段をさらに含むことを特徴とする請求項１または２記載の記録装置。
【請求項４】
重複予約が生じたとき、重複予約が生じたことを報知する報知手段をさらに含むことを特徴とする請求項１〜３のいずれかに記載の記録装置。
【請求項５】
記録予約は、記録手段にコンテンツを記録するときの記録の質を指定することが可能であり、
記録制御手段は、同一種別の予約同士で重複予約が生じたとき、記録の質の高い予約を優先させて、コンテンツを記録するように制御することを特徴する請求項１〜４のいずれかに記載の記録装置。
【請求項６】
制御手段は、同一種別の予約同士で重複予約が生じたとき、最新の予約を優先させて、コンテンツを記録するように制御することを特徴する請求項１〜４のいずれかに記載の記録装置。
【請求項７】
利用者の嗜好を表す嗜好情報を取得する嗜好情報取得手段をさらに含み、
制御手段は、同一種別の予約同士で重複予約が生じたとき、コンテンツと嗜好情報との一致度合が高いコンテンツの予約を優先させて、コンテンツを記録するように制御することを特徴する請求項１〜４のいずれかに記載の記録装置。
【請求項８】
予め設定される提供時間枠に区切られる提供予定に従って提供元から提供され、経時的に変化するコンテンツを、利用者によって指定されるコンテンツの記録を予約する手動予約、および予め設定される条件を満たすコンテンツの記録を予約する自動予約を含む記録予約と、前記提供予定を表す提供予定情報とに基づいて記録するにあたって、
提供時間枠が少なくとも部分的に一致する複数のコンテンツの記録が予約される重複予約が生じたとき、手動予約を優先させてコンテンツを記録することを特徴とする記録方法。
【請求項９】
請求項８記載の記録方法を、コンピュータに実行させるためのプログラム。
【発明の詳細な説明】
【０００１】
【発明の属する技術分野】
本発明は、たとえば動画像などのコンテンツを記録する記録装置および記録方法ならびにプログラムに関する。
【０００２】
【従来の技術】
番組を予約して録画する記録装置の第１の従来技術として、番組が重複して予約されたとき、先行する予約を削除することなく保持し、録画が終了した後に、先行する予約を復活させる放送受信装置がある（たとえば特許文献１参照）。
【０００３】
また第２の従来技術として、番組が重複して予約されたとき、利用者が設定した優先度に基づいて録画する放送番組受信装置がある（たとえば特許文献２参照）。
【０００４】
また第３の従来技術として、番組が重複して予約されたとき、利用者が設定した優先度に基づいて予約が有効であるか否かを判断し、録画する受信処理予約装置がある（たとえば特許文献３参照）。
【０００５】
また第４の従来技術として、番組の予約が重複しているとき、警告を表示し、設定された優先度に基づいて録画する画像記録装置がある（たとえば特許文献４参照）。
【０００６】
また第５の従来技術として、利用者の好みの番組を推定し、推定した番組を予約し、その予約が他の番組の予約と重複するときには推定した番組の予約を削除する記録再生装置がある（たとえば特許文献５参照）。
【０００７】
【特許文献１】
特開平１０−３４１３８１号公報
【特許文献２】
特開２００１−１９７３８２号公報
【特許文献３】
特開２００２−２７３３７号公報
【特許文献４】
特開２００２−９４９１６号公報
【特許文献５】
特開２００２−１５２６３９号公報
【０００８】
【発明が解決しようとする課題】
前述の第１〜第５の従来技術では、番組の視聴、あるいは番組の予約が重複したときに、それらの予約に対して利用者が優先順位を設定して予約を選択する構成になっている。このような構成では、利用者の望む優先順位にしようとすると、優先順位の設定が利用者にとって煩雑で手間がかかるなどして、利用者の意図する優先順位で予約することができず、所望の番組を記録することができない。
【０００９】
したがって本発明の目的は、動画像の予約が重複した場合であっても、利用者が望む動画像を優先して記録することができる記録装置および記録方法ならびにプログラムを提供することである。
【００１０】
【課題を解決するための手段】
本発明は、予め設定される提供時間枠に区切られる提供予定に従って提供元から提供され、経時的に変化するコンテンツを取得するコンテンツ取得手段と、
取得したコンテンツを記録する記録手段と、
コンテンツを指定する指定情報を、利用者が入力操作する入力手段と、
入力された指定情報によって指定されるコンテンツの記録を予約する手動予約、および予め設定される条件を満たすコンテンツの記録を予約する自動予約を含む記録予約と、前記提供予定を表す提供予定情報とに基づいて、前記予約されるコンテンツを記録するように記録手段を制御する制御手段であって、提供時間枠が少なくとも部分的に一致する複数のコンテンツの記録が予約される重複予約が生じたとき、手動予約を優先させてコンテンツを記録するように制御する記録制御手段とを備えることを特徴とする記録装置である。
【００１１】
本発明に従えば、経時的に変化するコンテンツが、予め設定される提供時間枠に区切られる提供予定に従って提供元から提供される。このコンテンツは、記録手段への記録を予約する記録予約と、前記提供予定を表わす提供予定情報とに基づいて、コンテンツ取得手段によって取得されて、記録手段によって記録される。コンテンツの記録は、利用者が入力手段を操作して入力した指定情報によって指定されるとき、手動予約で予約され、予め設定される条件を満たすとき、自動予約で予約される。複数のコンテンツの記録が予約される状態で、それらの提供時間枠が少なくとも部分的に一致する重複予約が生じたとき、手動予約を優先させてコンテンツを記録するように、記録手段が制御手段によって制御される。このように重複予約が生じたときであっても、簡単な記録予約の優先順位に従って、利用者の意思が反映された記録予約を実現することができる。これによって利用者が望むコンテンツを確実に取得して記録することができる。
【００１２】
また本発明は、自動予約は、
特定の提供時間枠を繰返して予約する繰返し予約と、
予め設定される嗜好キーワードを含むインデックスに対応するコンテンツを予約するキーワード予約と、
利用者の利用状況に基づいてコンテンツを予約するおすすめ予約との少なくともいずれか２つを含み、
繰返し予約、キーワード予約およびおすすめ予約には、予め定める順に優先順位が設定され、
記録制御手段は、自動予約同士で重複予約が生じたとき、前記優先順位に従って、優先順位の高い予約を優先させて、コンテンツを記録するように制御することを特徴する。
【００１３】
本発明に従えば、自動予約には、特定の提供時間枠を繰返して予約する繰返し予約と、予め設定される嗜好キーワードを含むインデックスに対応するコンテンツを予約するキーワード予約と、利用者の利用状況に基づいてコンテンツを予約するおすすめ予約とのうち少なくともいずれか２つが含まれる。自動予約の繰返し予約、キーワード予約およびおすすめ予約には、予め定める順に優先順位が設定されている。自動予約同士で重複予約が生じたとき、予め設定される優先順位に従って、優先順位の高い予約を優先させて、コンテンツを記録するように、記録手段が記録制御手段によって制御される。これによって簡単な優先順位の設定で、利用者の嗜好の適合度合いが高いコンテンツを記録することができる。
【００１４】
また本発明は、コンテンツ取得手段が予約されていないコンテンツを取得中に、予約されたコンテンツの提供開始時刻に至ったとき、予約されたコンテンツを取得するように、コンテンツ取得手段を制御する取得制御手段をさらに含むことを特徴とする。
【００１５】
本発明に従えば、コンテンツ取得手段が予約されていないコンテンツを取得中に、予約されたコンテンツの提供開始時刻に至ったとき、予約されたコンテンツを取得するように、コンテンツ取得手段が取得制御手段によって制御される。このように予約されたコンテンツが、予約されていないコンテンツよりも優先的に取得される。これによって利用者が望むコンテンツを確実に取得することができる。
【００１６】
また本発明は、重複予約が生じたとき、重複予約が生じたことを報知する報知手段をさらに含むことを特徴とする。
【００１７】
本発明に従えば、重複予約が生じたとき、重複予約が生じたことを報知手段が報知するので、利用者が所望のコンテンツの記録を予約したときに、重複予約が生じたか否かを容易に識別することができる。
【００１８】
また本発明は、記録予約は、記録手段にコンテンツを記録するときの記録の質を指定することが可能であり、
記録制御手段は、同一種別の予約同士で重複予約が生じたとき、記録の質の高い予約を優先させて、コンテンツを記録するように制御することを特徴する。
【００１９】
本発明に従えば、記録予約するにあたって、記録手段にコンテンツを記録するときの記録の質を指定することができる。同一種別の予約同士で重複予約が生じたとき、記録の質の高い予約を優先させて、コンテンツを記録するように、記録手段が記録制御手段によって制御される。記録の質を高くして記録予約されるコンテンツは、利用者にとって非常に重要度の高いコンテンツである可能性が高いので、利用者の意思がより反映された記録予約を実現することができる。
【００２０】
また本発明は、制御手段は、同一種別の予約同士で重複予約が生じたとき、最新の予約を優先させて、コンテンツを記録するように制御することを特徴する。
【００２１】
本発明に従えば、同一種別の予約同士で重複予約が生じたとき、最新の予約を優先させて、コンテンツを記録するように、記録手段が記録制御手段によって制御される。このように同一種別の予約同士で重複予約が生じたときには、最新の予約が優先されるので、利用者が優先順位を直感的にかつ容易に理解することができる。
【００２２】
また本発明は、利用者の嗜好を表す嗜好情報を取得する嗜好情報取得手段をさらに含み、
制御手段は、同一種別の予約同士で重複予約が生じたとき、コンテンツと嗜好情報との一致度合が高いコンテンツの予約を優先させて、コンテンツを記録するように制御することを特徴する。
【００２３】
本発明に従えば、利用者の嗜好を表す嗜好情報が、嗜好情報取得手段によって取得される。同一種別の予約同士で重複予約が生じたとき、コンテンツと嗜好情報との一致度合が高いコンテンツの予約を優先させて、コンテンツを記録するように制御手段によって制御される。これによって利用者が記録したいと思うコンテンツのうち、利用者の嗜好に合ったコンテンツを記録することができる。
【００２４】
また本発明は、予め設定される提供時間枠に区切られる提供予定に従って提供元から提供され、経時的に変化するコンテンツを、利用者によって指定されるコンテンツの記録を予約する手動予約、および予め設定される条件を満たすコンテンツの記録を予約する自動予約を含む記録予約と、前記提供予定を表す提供予定情報とに基づいて記録するにあたって、
提供時間枠が少なくとも部分的に一致する複数のコンテンツの記録が予約される重複予約が生じたとき、手動予約を優先させてコンテンツを記録することを特徴とする記録方法である。
【００２５】
本発明に従えば、提供予定に従って提供元から提供されるコンテンツを、記録予約および提供予定情報に基づいて取得し記録するにあたって、複数のコンテンツの記録が予約される状態で、それらの提供時間枠が少なくとも部分的に一致する重複予約が生じたとき、手動予約を優先させる。このように重複予約が生じたときであっても、簡単な記録予約の優先順位に従って、利用者の意思が反映された記録予約を実現することができる。これによって利用者が望むコンテンツを確実に取得して記録することができる。
【００２６】
また本発明は、前述の記録方法を、コンピュータに実行させるためのプログラムである。
【００２７】
本発明に従えば、コンピュータを用いて、前述のような利用者が望むコンテンツに記録することを実現することができる。
【００２８】
【発明の実施の形態】
図１は、本発明の実施の一形態の画像記録再生装置１の構成を示すブロック図である。画像記録再生装置１は、たとえば動画像および音声が含まれる動画像などの経時的に変化するコンテンツを、予め設定される提供時間枠に区切られる提供予定に従って提供する複数の放送局２０からのコンテンツを取得し、取得したコンテンツを、画像記録再生装置１に接続される表示装置２１に表示させる。また画像記録再生装置１は、取得したコンテンツを記録し、記録されたコンテンツを再生して表示装置２１に表示させる。画像記録再生装置１は、画像入出力部２、オンスクリーンディスプレイ生成部３、記録部４、プログラムメモリ５、データメモリ６、指示入力部７、計時部８、通信部９、メモリカード接続部１０および中央制御部１１を含んで構成される。
【００２９】
画像入出力部２は、アナログテレビチューナ２ａ、ＡＤコンバータ２ｂ、ＭＰＥＧ２エンコーダ２ｃ、ＭＰＥＧ２デコーダ２ｄおよびＤＡコンバータ２ｅを備える。画像入出力部２には、放送局２０からのアナログテレビジョン放送電波を受信するためのアンテナ２ｆが接続される。また画像入出力部２には、たとえばテレビジョン受像装置などで実現される表示装置２１および図示しないアナログ方式のビデオテープレコーダ（Ｖｉｄｅｏ  Ｔａｐｅ  Ｒｅｃｏｒｄｅｒ  ；略称：ＶＴＲ）などに接続可能なアナログ画像出力端子およびアナログ音声出力端子ならびにアナログ画像入力端子およびアナログ音声入力端子が備えられる。以後これらの入力端子および出力端子をまとめて、アナログ入出力端子と表記することがある。
【００３０】
各放送局２０からのコンテンツは、各放送局２０に割り振られたチャンネルに対応する搬送波周波数のアナログテレビジョン放送電波によって提供され、アナログテレビチューナ２ａは、選局される放送局２０からのアナログテレビジョン放送電波、換言すれば選択されるチャンネルに対応する搬送波周波数のアナログテレビジョン放送電波を、アンテナ２ｆを介して受信して増幅する。さらにアナログテレビチューナ２ａは、受信したアナログテレビジョン放送電波に含まれ、コンテンツを表すアナログコンテンツ信号を抽出する検波を行う。前記アナログテレビチューナ２ａによって検波されたアナログコンテンツ信号は、ＡＤコンバータ２ａおよびアナログ入出力端子に接続される表示装置２１およびＶＴＲに与えられてもよい。コンテンツは、アナログテレビチューナ２ａによって、アナログデータとして取得される。
【００３１】
ＡＤコンバータ２ｂは、アナログコンテンツ信号をデジタルコンテンツ信号に変換するアナログ・デジタル（Ａｎａｌｏｇ  ｔｏ  Ｄｉｇｉｔａｌ  ；略称：ＡＤ）変換を行う。前記アナログコンテンツ信号は、アナログテレビチューナ２ａおよびアナログ入出力端子に接続されるＶＴＲから与えられてもよい。前記デジタルコンテンツ信号は、ＭＰＥＧ２エンコーダ２ｃおよび中央制御部１１に与える。コンテンツは、このＡＤコンバータ２ｂでＡＤ変換されてデジタルデータ化される。
【００３２】
ＭＰＥＧ２エンコーダ２ｃは、ＭＰＥＧ２規格に基づいて、デジタルコンテンツ信号を符号化して、符号化コンテンツ信号を生成する。前記デジタルコンテンツ信号は、ＡＤコンバータ２ｂから与えられてもよい。前記符号化コンテンツ信号は、中央制御部１１を介して、記録部４、通信部９およびメモリカード接続部１０に与えられてもよい。コンテンツは、このＭＰＥＧ２エンコーダ２ｃで符号化される。
【００３３】
ＭＰＥＧ２デコーダ２ｄは、ＭＰＥＧ２規格で符号化される符号化コンテンツ信号を復号化して、デジタルコンテンツ信号を生成する。前記符号化コンテンツ信号は、記録部４、通信部９およびメモリカード接続部１０から与えられてもよい。前記デジタルコンテンツ信号は、ＤＡコンバータ２ｅに与えられてもよい。コンテンツは、このＭＰＥＧ２デコーダ２ｄで複合化され、デジタルデータ化される。
【００３４】
ＤＡコンバータ２ｅは、デジタルコンテンツ信号をアナログコンテンツ信号に変換するデジタル・アナログ（Ｄｉｇｉｔａｌ  ｔｏ  Ａｎａｌｏｇ  ；略称：ＤＡ）変換を行う。前記デジタルコンテンツ信号は、ＭＰＥＧ２デコーダ２ｄから与えられてもよい。前記アナログコンテンツ信号は、アナログ入出力端子に接続される表示装置２１およびＶＴＲに与えられてもよい。コンテンツは、このＤＡコンバータ２ａでＤＡ変換されてアナログデータ化される。
【００３５】
表示装置２１は、画像記録装置１からアナログコンテンツ信号によってコンテンツが与えられ、コンテンツである動画像を表示したり、音声を出力したりする。
【００３６】
画像入出力部２は、アンテナ２ｆを介して受信される、放送局２０からのデジタルテレビジョン放送電波に含まれ、コンテンツを表すデジタルコンテンツ信号を抽出する検波を行うデジタルテレビチューナを、さらに備えるようにしてもよい。この場合、デジタルコンテンツ信号は、ＭＰＥＧ２規格に基づいて符号化される符号化コンテンツ信号である。前記符号化コンテンツ信号は、ＭＰＥＧ２デコーダ２ｄに与えられたり、中央制御部１１を介して記録部４に与えられるようにしてもよい。このようにデジタルデータとしてコンテンツを取得するようにしてもよい。
【００３７】
また画像入出力部２は、たとえばデジタル方式でコンテンツを記録可能なハードディスクレコーダ（Ｈａｒｄ  Ｄｉｓｋ  Ｒｅｃｏｒｄｅｒ）、パーソナルビデオレコーダ（
Ｐｅｒｓｏｎａｌ  Ｖｉｄｅｏ  Ｒｅｃｏｒｄｅｒ  ；略称：ＰＶＲ）およびＤＶＤ（Ｄｉｇｉｔａｌ  Ｖｅｒｓａｔｉｌｅ  Ｄｉｓｋ）レコーダなどに接続可能なデジタル画像入出力端子およびデジタル音声入出力端子（以後これらの端子をまとめて「デジタル入出力端子」と表記することがある。）を備えるようにしてもよい。この場合、コンテンツは、デジタルコンテンツ信号によって、デジタル入出力端子に接続されるデジタル方式のビデオレコーダに与えられてもよい。
【００３８】
オンスクリーンディスプレイ（Ｏｎ−Ｓｃｒｅｅｎ  Ｄｉｓｐｌａｙ  ；略称：ＯＳＤ）生成部３は、中央制御部１１によって制御され、画像入出力部２から表示装置２１に出力されるアナログデータ形式のコンテンツに合成して、表示装置２１に表示させるための合成データを生成する。
【００３９】
記録部４は、たとえばハードディスクドライブ（Ｈａｒｄ  Ｄｉｓｋ  Ｄｒｉｖｅ  ；略称：ＨＤＤ）などの固定型の磁気記録媒体用いた手段およびデジタル多機能ディスク（Ｄｉｇｉｔａｌ  Ｖｅｒｓａｔｉｌｅ  Ｄｉｓｋ；略称：ＤＶＤ）などの着脱可能な光記録媒体を用いた手段によって実現される。記録部４は、画像データ記録部４ａおよびインデックスデータ記録部４ｂを有する。画像データ記録部４ａには、符号化されたコンテンツが記録される。前記符号化されたコンテンツは、画像入出力部２およびメモリカード接続部１０から与えられてもよい。インデックスデータ記録部４ｂには、前記符号化されたコンテンツの、記録部４における記録アドレス、記録日時、チャンネルおよび符号化ビットレートなどの記録情報、ならびにコンテンツのタイトルなどを含むインデックスが記録される。記録部４は、後述する中央制御部１１によって制御される。
【００４０】
指示入力部７は、キーボードおよびリモートコントローラ（略称：リモコン）２２からのリモコン信号を受信するリモコン受信部などで実現される。指示入力部７は、利用者の入力操作によって、各種入力指令が入力される。
【００４１】
プログラムメモリ５は、たとえばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ  ）およびフラッシュメモリ（ｆｌａｓｈ  ｍｅｍｏｒｙ）などの書換え可能な不揮発性メモリで実現される。プログラムメモリ５には、中央制御部１１が実行可能な、記録再生制御プログラム５ａ、画像変換プログラム５ｂ、ＥＰＧ取得プログラム５ｃ、記録予約制御プログラム５ｄ、キーワード予約制御プログラム５ｅ、おすすめ予約制御プログラム５ｆ、フォトアルバム制御プログラム５ｇ、嗜好データ抽出プログラム５ｈおよびＥＰＧ表示プログラム５ｉが記憶されている。各プログラム５ａ〜５ｉの詳細な説明は後述する。
【００４２】
データメモリ６は、たとえばランダムアクセスメモリ（Ｒａｎｄｏｍ  Ａｃｃｅｓｓ  Ｍｅｍｏｒｙ；略称：ＲＡＭ）などの揮発性メモリで実現される。データメモリ６は、記録再生予約データ記憶部６ａ、ＥＰＧデータ記憶部６ｂ、キーワードデータ記憶部６ｃおよび嗜好データ記憶部６ｄを有する。
【００４３】
記録再生予約データ記憶部６ａは、放送局２０からのコンテンツを記録部４に記録することを予約する記録予約に必要な予約情報を記憶する。キーワードデータ記憶部６ｃは、指示入力部７から入力された利用者に関する嗜好キーワードを記憶する。嗜好データ記憶部６ｄは、利用者の利用状況に基づく嗜好データを記憶する。
【００４４】
ＥＰＧデータ記憶部６ｂは、インターネット２５を介して接続されるＥＰＧサーバ２７に蓄積される電子番組案内（Ｅｌｅｃｔｒｏｎｉｃ  Ｐｒｏｇｒａｍ  Ｇｕｉｄｅ；略称：ＥＰＧ）を記憶する。放送局２０は、前記ＥＰＧで表され、予め設定される提供時間枠に区切られる提供予定に従って、アナログテレビジョン放送電波を送信することによって、コンテンツを提供する。ＥＰＧは、詳細に述べると、搬送波周波数に対応する各チャンネル毎に、各提供時間枠で提供されるコンテンツのタイトル、ジャンル、出演者名などのキーワードを含むインデックスを有する。ＥＰＧは、放送局２０からのデジタルコンテンツ信号に重畳して画像記録再生装置１に与えるようにしてもよい。この場合、画像入出力部２によって、デジタルコンテンツ信号からＥＰＧが抽出され、抽出されたＥＰＧは、ＥＰＧデータ記憶部６ｂに記憶される。また、ＥＰＧは、放送局２０からのアナログテレビジョン放送電波における映像信号の垂直帰線区間（Ｖｅｒｔｉｃａｌ  Ｂｌａｎｋｉｎｇ  Ｉｎｔｅｒｖａｌ  ；略称：ＶＢＩ）に重畳して画像記録再生装置１に与えるようにしてもよい。この場合、画像入出力部２によって、映像信号のＶＢＩからＥＰＧが抽出され、抽出されたＥＰＧは、ＥＰＧデータ記憶部６ｂに記憶される。
【００４５】
キーワードデータ記憶部６ｃは、指示入力部７から入力される嗜好キーワードを記憶する。嗜好データ記憶部６ｄは、嗜好データを記憶する。前記嗜好データは、利用者の利用状況に基づいて設定される。また嗜好データは、指示入力部７から入力されてもよい。嗜好データは、たとえば利用者の興味のあるジャンル、高頻度で記録されるコンテンツのタイトルなどである。
【００４６】
計時部８は、たとえばリアルタイムクロック（Ｒｅａｌ  Ｔｉｍｅ  Ｃｌｏｃｋ  ；略称：ＲＴＣ）で実現される。計時部８は、中央制御部１１、プログラムメモリ５およびデータメモリ６の動作の基準となるシステムクロック、ならびに現在時刻などを含むの計時情報を中央制御部１１に与える。
【００４７】
通信部９は、ローカルエリアネットワーク（Ｌｏｃａｌ  Ａｒｅａ  Ｎｅｔｗｏｒｋ；略称：ＬＡＮ）２３を介して第１パーソナルコンピュータ（以後「第１ＰＣ」と略して表記する。）２４に接続して通信可能である。また通信部９は、インターネット２５を介して、第２パーソナルコンピュータ（以後「第２ＰＣ」を略して表記する。）２６、ＥＰＧサーバ２７および携帯電話装置２８に接続して通信可能である。また通信部９は、ＬＡＮ２３を介して接続される第１ＰＣ２４が、インターネット２５を介して、第２ＰＣ２６、ＥＰＧサーバ２７および携帯電話装置２８に接続して通信できるようにするゲートウェイ機能およびルーティング機能を有する。第１および第２ＰＣ２４，２５は、それぞれ１つであってもよいし、複数であってもよい。
【００４８】
また通信部９は、インターネット２５を介して接続されるパーソナルコンピュータなどの通信端末装置から、不正なデータが入って来ないようにするファイアウォール機能を有するようにしてもよい。またＬＡＮ２３は、有線であっても無線であってもよい。
【００４９】
メモリカード接続部１０は、たとえばフラッシュメモリなどの書換え可能な不揮発性メモリを備えるメモリカードを着脱自在にして接続可能である。メモリカード接続部１０にメモリカードを装着することによって接続され、中央制御部１１による制御によって、メモリカードに記憶されている情報を読出したり、メモリカードに情報を記憶させたりする。メモリカードには、たとえばデジタルスチルカメラによって撮影された静止画像を表すフォトデータが記憶されてもよい。
【００５０】
中央制御部１１は、たとえば中央演算処理装置（Ｃｅｎｔｒａｌ  Ｐｒｏｃｅｓｓｉｎｇ  Ｕｎｉｔ  ；略称：ＣＰＵ）で実現され、計時部８からの計時情報に基づいて駆動し、プログラムメモリ５に記憶されている各プログラム５ａ〜５ｉを実行して、各種処理を行う。
【００５１】
中央制御部１１は、記録再生制御プログラム５ａを実行することによって、指示入力部７からの入力指令およびデータメモリ６の記録再生予約データ記憶部６ａに記憶される予約情報に従って、予約されるコンテンツを取得して画像データ記録部４ａに記録するように、画像入出力部２および記録部４を制御する。またこのとき、中央制御部１１は、画像データ記録部４ａに記録されるコンテンツに関連するインデックスを、インデックスデータ記録部４ｂに記録するように、記録部４を制御する。また中央制御部１１は、記録再生制御プログラム５ａを実行することによって、指示入力部７からの、画像データ記録部４ａに記録されているコンテンツを再生することを示す入力指令に従って、画像データ記録部４ａに記録されているコンテンツを表示装置２１に表示および出力させるように、画像入出力部２および記録部４を制御する。このとき記録部４に記録されているコンテンツは、ＭＰＥＧ２デコーダ２ｄに与えられて復号化され、さらにＤＡコンバータ２ｅに与えられてＤＡ変換されて、アナログ入出力端子から表示装置２１に与えられる。
【００５２】
画像入出力部２がデジタル入出力端子を備えている場合、中央制御部１１は、記録再生制御プログラム５ａを実行することによって、記録部４に記録されているコンテンツを、ＤＡコンバータ２ｅを介さずに、デジタル入出力端子に接続されているデジタル方式のビデオレコーダなどに与えるようにしてもよい。
【００５３】
中央制御部１１は、画像変換プログラム５ｂを実行することによって、記録部４に記録されているコンテンツに対して、たとえば符号化ビットレートを変更したり、符号化方式をＭＰＥＧ２からＭＰＥＧ４に変換したりする画像変換処理を行う。さらに中央制御部１１は、記録再生制御プログラム５ａを実行することによって、前述のような画像変換処理が施されたコンテンツを記録するように記録部４を制御したり、ＬＡＮ２３を介して接続される第１ＰＣ２４およびインターネット２５を介して接続される第２ＰＣ２６に与えるように通信部９を制御してもよい。
【００５４】
中央制御部１１は、ＥＰＧ取得プログラム５ｃを実行することによって、インターネット２５を介して接続されるＥＰＧサーバ２７に蓄積されるＥＰＧを取得するように通信部９を制御するとともに、取得したＥＰＧをデータメモリ６のＥＰＧデータ記憶部６ｂに記憶する。またＥＰＧが放送局２０からのデジタルコンテンツ信号に重畳して画像記録再生装置１に与えられる場合、中央制御部１１は、ＥＰＧ取得プログラム５ｃを実行することによって、デジタルコンテンツ信号からＥＰＧを抽出するように画像入出力部２を制御するとともに、抽出されたＥＰＧをＥＰＧデータ記憶部６ｂに記憶する。
【００５５】
中央制御部１１は、ＥＰＧ表示プログラム５ｉを実行することによって、ＥＰＧデータ記憶部６ｂに記憶されているＥＰＧを、利用者が容易に理解できるような一覧表形式に加工して、画像入出力部２から表示装置２１に与えられるコンテンツに重畳するようにＯＳＤ生成部３を制御する。これによって表示装置２１には、ＥＰＧの一覧表が重畳されるコンテンツが表示される。
【００５６】
利用者がリモコン２２および指示入力部７を入力操作して入力指令が入力されると、中央制御部１１は、記録予約制御プログラム５ｄを実行して、表示装置２１に表示されている一覧表上にカーソルを形成し、入力指令に応じてカーソルを移動させるようにＯＳＤ生成部３を制御する。利用者の入力操作によって所望のコンテンツが指定されると、中央制御部１１は、記録予約制御プログラム５ｄを実行して、ＥＰＧデータ記憶部６ｂに記憶されているＥＰＧに基づいて、指定されたコンテンツの記録開始日時、記録終了日時およびチャンネルなどを含む予約情報を、記録再生予約データ記憶部６ａに記憶する。
【００５７】
利用者がリモコン２２および指示入力部７を入力操作して、コンテンツの記録開始日時、記録終了日時、チャンネル、記録予定画質および記録または視聴の区別などを含む予約情報が入力されると、中央制御部１１は、記録予約制御プログラム５ｄを実行して、前記予約情報を記録再生予約データ記憶部６ａに記憶する。利用者が第１ＰＣ２４、第２ＰＣ２６および携帯電話装置２８を操作して、予約情報を入力して、前記記録予約がＬＡＮ２３およびインターネット２５を介して通信部９に与えられると、中央制御部１１は、記録予約制御プログラム５ｄを実行して、前記記録予約を記録再生予約データ記憶部６ａに記憶する。このようにして手動予約が行われる。
【００５８】
中央制御部１１は、キーワード予約制御プログラム５ｅを実行することによって、データメモリ６のキーワードデータ記憶部６ｃに記憶されている嗜好キーワードに基づいて、ＥＰＧデータ記憶部６ｂに記憶されているＥＰＧを検索して、前記嗜好キーワードを含むインデックスに対応するコンテンツを抽出し、前記コンテンツの提供時間枠およびチャンネルなどを含む予約情報を、記録再生予約データ記憶部６ａに記憶する。このようにしてキーワード予約が行われる。このとき記録開始日時は、提供時間枠におけるコンテンツの提供開始日時であり、記録終了日時は、提供時間枠におけるコンテンツの提供終了日時である。
【００５９】
中央制御部１１は、おすすめ予約制御プログラム５ｆを実行することによって、データメモリ６の嗜好データ記憶部６ｄに記憶されている嗜好データに基づいて、ＥＰＧデータ記憶部６ｂを検索して、前記嗜好データを含むインデックスに対応するコンテンツを抽出し、前記コンテンツの提供時間枠およびチャンネルなどを含む予約情報を記録再生予約データ記憶部６ａに記憶する。このようにして、おすすめ予約が行われる。このとき記録開始日時は、コンテンツの提供時間枠におけるコンテンツの提供開始日時であり、記録終了日時は、提供時間枠におけるコンテンツの提供終了日時である。
【００６０】
中央制御部１１は、フォトアルバム制御プログラム５ｇを実行することによって、メモリカード接続部１０によって読取られたメモリカードに記憶されているフォトデータを記録部４に記録する。また中央制御部１１は、フォトアルバム制御プログラム５ｇを実行することによって、表示装置２１、第１ＰＣ２４、第２ＰＣ２６および携帯電話装置２８に、記録部４に記録されているフォトデータを一覧表形式で表示できるようなフォトアルバムデータを生成する。このように生成されたフォトアルバムデータは、ＬＡＮ２３を介して接続される第１ＰＣ２４、ならびにインターネット２５を介して接続される第２ＰＣ２６および携帯電話装置２８に与えることができる。
【００６１】
中央制御部１１は、嗜好データ抽出プログラム５ｈを実行することによって、利用者の利用状況に基づいて嗜好データを生成して、データメモリ６の嗜好データ記憶部６ｄに記憶する。この嗜好データは、おすすめ予約が行われるときに用いられる。
【００６２】
図２は、表示装置２１に表示されるアプリメニューＭ１を示す図である。表示装置２１の表示画面において、前記表示画面に平行な予め定める第１方向を上方向、前記第１方向とは反対向きの方向を下方向、前記表示画面に平行であって前記第１方向に垂直な第２方向を右方向、前記第２方向とは反対向きの方向を左方向とする。
【００６３】
利用者がリモコン２２に設けられるメニューボタンを押圧すると、アプリメニューＭ１の表示を示す入力指令が指示入力部７に与えられる。中央制御部１１は、前記入力指令に基づいて、アプリメニューＭ１を表す表示データを生成して、前記表示データを画像入出力部２を介して、表示装置２１に与える。これによって図２に示すようなアプリメニューＭ１が表示装置２１に表示される。
【００６４】
アプリメニューＭ１は、ステータス表示領域Ａ１、項目表示領域Ａ２、項目説明表示領域Ａ３、コンテンツ表示領域Ａ４および操作説明表示領域Ａ５を有する。ステータス表示領域Ａ１は、表示画面において上端部に配置される。ステータス表示領域Ａ１には、メニュータイトル、記録モード、記録可能時間および現在日時などのステータス情報が表示される。項目表示領域Ａ２は、表示画面において中央部右寄りに配置される。項目表示領域Ａ２には、テレビＨ１、番組表Ｈ２、番組ナビＨ３、ビデオＨ４、予約Ｈ５、インターネットＨ６、フォトアルバムＨ７および設定Ｈ８を含むメニュー項目がマトリクス状に配置されて表示される。
【００６５】
項目説明表示領域Ａ３は、表示画面において左端部上寄りに配置される。項目説明表示領域Ａ３には、カーソルＣが重ねられて選択されているメニュー項目に関連する説明が表示される。コンテンツ表示領域Ａ４は、表示画面において左端部下寄りに配置される。コンテンツ表示領域Ａ４には、現在選択されているチャンネルに対応する放送局２０から提供されているコンテンツが表示される。操作説明表示領域Ａ５は、表示画面において下端部に配置される。操作説明表示領域Ａ５には、リモコン２２に設けられるボタンに対応する操作説明が表示される。
【００６６】
表示装置２１に図２に示すアプリメニューＭ１が表示されているとき、利用者は、リモコン２２に設けられるカーソルボタンを操作することによって、表示されているカーソルＣを上下左右に移動することができる。利用者は、リモコン２２を操作して、項目表示領域Ａ２に表示されている項目にカーソルＣを移動して所望とするメニュー項目のいずれか１つに重ねることで、前記メニュー項目を選択する。さらにこの状態で、利用者は、リモコン２２に設けられる決定ボタンを押圧することによって、選択したメニュー項目を決定して、選択されたメニュー項目に関連付けされる後述する各種メニューなどを、表示装置２１に表示することができる。
【００６７】
以後、リモコン２２のカーソルボタンを操作して、表示画面に表示されている項目などにカーソルＣを重ねることを、単に「選択する」と表記することがある。また項目などが選択されている状態で、リモコン２２の決定ボタンを押圧することを、単に「決定する」と表記することがある。
【００６８】
表示装置２１に図２に示すアプリメニューＭ１が表示されているとき、利用者が、テレビＨ１を選択して決定すると、中央制御部１１は、現在、画像入出力部２によって選択されているチャンネルに対応する放送局２０から提供されているコンテンツを表示装置２１の表示画面全体に表示するように画像入出力部２を制御する。これによって表示装置２１の表示画面全体に、前記コンテンツが表示される。
【００６９】
表示装置２１に図２に示すアプリメニューＭ１が表示されているとき、利用者が、インターネットＨ６を選択して決定すると、中央制御部１１は、インターネット２５を介して接続されるコンテンツサーバが蓄積しているウェブコンテンツを取得するように通信部９を制御する。また中央制御部１１は、取得したウェブコンテンツを表示装置２１に表示するように画像入出力部２を制御する。これによって表示装置２１に前記ウェブコンテンツが表示される。
【００７０】
表示装置２１に図２に示すアプリメニューＭ１が表示されているとき、利用者が、フォトアルバムＨ７を選択して決定すると、中央制御部１１は、プログラムメモリ５に記憶されているフォトアルバム制御プログラム５ｇを実行して、記録部４およびメモリカード接続部１０に装着されているメモリカードが記録および記憶しているフォトデータを、表示装置２１、第１ＰＣ２４、第２ＰＣ２６および携帯電話装置２８に表示するためのフォトアルバムデータを生成する。これによって表示装置２１ならびに第１ＰＣ２４、第２ＰＣ２６および携帯電話装置２８の表示部（図示せず）にフォトアルバムデータを表示することができる。
【００７１】
表示装置２１に図２に示すアプリメニューＭ１が表示されているとき、利用者が、設定Ｈ８を選択して決定すると、中央制御部１１は、各種設定メニューを表示装置２１に表示するように画像入出力部２を制御する。これによって表示装置２１に前記設定メニューが表示される。
【００７２】
図３は、表示装置２１に表示されるチャンネル別番組表Ｍ２を示す図である。表示装置２１に図２に示すアプリメニューＭ１が表示されているとき、利用者が番組表Ｈ２を選択して決定すると、中央制御部１１は、ＥＰＧ表示プログラム５ｉを実行して、チャンネル別番組表Ｍ２を表示装置２１に表示するように画像入出力部２を制御する。これによって図３に示すようなチャンネル別番組表Ｍ２が表示装置２１に表示される。
【００７３】
チャンネル別番組表Ｍ２は、ステータス表示領域Ａ１、項目説明表示領域Ａ３、コンテンツ表示領域Ａ４、操作説明表示領域Ａ５および番組表表示領域Ａ６を有する。ステータス表示領域Ａ１、項目説明表示領域Ａ３、コンテンツ表示領域Ａ４および操作説明表示領域Ａ５は、前述の図２に示すアプリメニューＭ１と同様であるので、同一の参照符号を付して詳細な説明は省略する。番組表表示領域Ａ６は、表示画面において中央部右寄りに配置される。番組表表示領域Ａ６には、現在選択されているチャンネルの名称が表示される。また番組表表示領域Ａ６には、前記チャンネルで提供されるコンテンツの提供時間枠およびタイトルが上下方向に時系列順に並ぶ一覧表形式の番組表が表示される。また番組表表示領域Ａ６において、所定の方法で設定されるおすすめ度の高いコンテンツには、おすすめマークＥ１が付加されて表示される。
【００７４】
表示装置２１に図３に示すチャンネル別番組表Ｍ２が表示されているとき、利用者は、リモコン２２のカーソルボタンを操作することによって、表示されているカーソルＣを上下に移動することができる。利用者は、リモコン２２を操作して、番組表表示領域Ａ６に表示されているコンテンツのタイトルを選択すると、項目説明表示領域Ａ３には、選択されたコンテンツに対応するインデックスが表示される。利用者がリモコン２２のカーソルボタンを操作することによって、番組表表示領域Ａ６に他のチャンネルで提供されるコンテンツの番組表を表示することができる。また利用者がリモコン２２のカーソルボタンを操作することによって、他の提供時間枠に提供されるコンテンツの番組表を表示することができる。
【００７５】
図４は、表示装置２１に表示される番組ナビＭ３を示す図である。表示装置２１に図２に示すアプリメニューＭ１が表示されているとき、利用者が番組ナビＨ３を選択して決定すると、中央制御部１１は、ＥＰＧ表示プログラム５ｉを実行して、番組ナビＭ３を表示装置２１に表示するように画像入出力部２を制御する。これによって図４に示すような番組ナビＭ３が表示装置２１に表示される。
【００７６】
番組ナビＭ３は、ステータス表示領域Ａ１、項目説明表示領域Ａ３、コンテンツ表示領域Ａ４、操作説明表示領域Ａ５およびおすすめ番組表表示領域Ａ７を有する。ステータス表示領域Ａ１、項目説明表示領域Ａ３、コンテンツ表示領域Ａ４および操作説明表示領域Ａ５は、前述の図３に示すチャンネル別番組表Ｍ２と同様であるので、同一の参照符号を付して詳細な説明は省略する。おすすめ番組表表示領域Ａ７は、表示画面において中央部右寄りに配置される。おすすめ番組表表示領域Ａ７には、予め設定されるおすすめコンテンツの提供時間枠およびタイトルが上下方向に時系列順に並ぶ一覧表形式の番組表が表示される。またおすすめ番組表表示領域Ａ７において、コンテンツには、おすすめ度に応じて、おすすめマークＥ１が付加されて表示される。前記おすすめコンテンツは、中央制御部１１によって、データメモリ６の嗜好データ記憶部６ｄに記憶されている嗜好データに基づいて、ＥＰＧデータ記憶部６ｂに記憶されているＥＰＧから抽出された、前記嗜好データを含むインデックスに対応するコンテンツである。
【００７７】
表示装置２１に図４に示す番組ナビＭ３が表示されているとき、利用者は、リモコン２２のカーソルボタンを操作することによって、表示されているカーソルＣを上下に移動することができる。利用者は、リモコン２２を操作して、おすすめ番組表表示領域Ａ７に表示されているおすすめコンテンツのタイトルを選択すると、項目説明表示領域Ａ３には、選択されたおすすめコンテンツに対応するインデックスが表示される。
【００７８】
図５は、表示装置２１に表示される記録一覧表Ｍ４を示す図である。表示装置２１に図２に示すアプリメニューＭ１が表示されているとき、利用者がビデオＨ４を選択して決定すると、中央制御部１１は、記録再生制御プログラム５ａを実行して、記録部４のインデックスデータ記録部４ｂに記憶されている情報を参照して記録一覧表Ｍ４を表示装置２１に表示するように画像入出力部２を制御する。これによって図５に示すような記録一覧表Ｍ４が表示装置２１に表示される。
【００７９】
記録一覧表Ｍ４は、ステータス表示領域Ａ１、コンテンツ表示領域Ａ４、操作説明表示領域Ａ５、記録一覧表示領域Ａ８および項目説明表示領域Ａ９を有する。ステータス表示領域Ａ１、項目説明表示領域Ａ９、コンテンツ表示領域Ａ４および操作説明表示領域Ａ５は、前述の図３に示すチャンネル別番組表Ｍ２と同様であるので、同一の参照符号を付して詳細な説明は省略する。記録一覧表示領域Ａ８は、表示画面において中央部に配置される。記録一覧表示領域Ａ８には、記録部４に記録されているコンテンツの提供時間枠およびタイトルが上下方向に時系列順に並ぶ一覧表形式の記録一覧表が表示される。また記録一覧表示領域Ａ８において、現在記録中のコンテンツには、現在記録中であることを表す記録中マークＥ２が付加されて表示される。また記録一覧表示領域Ａ８において、削除禁止設定されているコンテンツには、記録部４からの削除を禁止されていることを表す削除禁止マークＥ３が付加されて表示される。また記録一覧表示領域Ａ８において、記録部４に記録されてから利用者がまだ一度も再生していないコンテンツには、未再生を表すＮＥＷマークＥ７が付加されて表示される。また記録一覧表示領域Ａ８において、上書き設定されているコンテンツには、記録部４に記録されている同一タイトルのコンテンツに上書きして記録することを表す上書きマークＥ４が付加されて表示される。
【００８０】
表示装置２１に図５に示す記録一覧表Ｍ４が表示されているとき、利用者は、リモコン２２のカーソルボタンを操作することによって、表示されているカーソルＣを上下に移動することができる。利用者は、リモコン２２を操作して、記録一覧表示領域Ａ８に表示されているコンテンツのタイトルを選択して決定すると、決定されたコンテンツが再生されて、表示装置２１に前記コンテンツが表示される。一度でも再生されたコンテンツに対しては、前記ＮＥＷマークＥ７が取り除かれる。
【００８１】
図６は、表示装置２１に表示される予約方法選択メニューＭ５を示す図である。表示装置２１に図２に示すアプリメニューＭ１が表示されているとき、利用者が番組ナビＨ３を選択して決定すると、中央制御部１１は、記録予約制御プログラム５ｄを実行して、予約方法選択メニューＭ５を表示装置２１に表示するように画像入出力部２を制御する。これによって図６に示すような予約方法選択メニューＭ５が表示装置２１に表示される。
【００８２】
予約方法選択メニューＭ５は、ステータス表示領域Ａ１、操作説明表示領域Ａ５および選択肢表示領域Ａ１０を含んで構成される。ステータス表示領域Ａ１および操作説明表示領域Ａ５は、前述の図３に示すチャンネル別番組表Ｍ２と同様であるので、同一の参照符号を付して詳細な説明は省略する。選択肢表示領域Ａ１０は、表示画面において中央部に配置される。選択肢表示領域Ａ１０には、コンテンツの録画を予約する方法である番組表から予約Ｙ１、番組ナビから予約Ｙ２、マニュアル予約Ｙ３およびキーワード予約Ｙ４ならびに予約した内容を確認するための予約確認Ｙ５の選択肢が表示される。
【００８３】
表示装置２１の表示画面に図６に示す予約方法選択メニューＭ５が表示されているとき、利用者は、リモコン２２のカーソルボタンを操作することによって、表示されているカーソルＣを上下に移動させることができる。利用者は、リモコン２２を操作して、選択肢表示領域Ａ１０に表示されている各選択肢Ｙ１〜Ｙ５のいずれか１つを選択して決定することができる。このように選択肢が決定されると、決定された選択肢に対応するメニューが表示される。
【００８４】
図７は、記録予約における概略的な手順および表示されるメニューを示す図である。表示装置２１に、図６に示す予約方法選択メニューＭ５が表示されているとき、利用者が、番組表から予約Ｙ１を選択して決定すると、中央制御部１１は、記録予約制御プログラム５ｄを実行して、チャンネル別番組表Ｍ３を表示装置２１に表示するように画像入出力部２を制御する。これによって図３に示すチャンネル別番組表Ｍ３が表示装置２１に表示される。チャンネル別番組表Ｍ３が表示されているとき、利用者が記録予約したいコンテンツを選択して決定すると、決定したコンテンツの記録予約が登録される。表示装置２１に図６に示す予約方法選択メニューＭ５が表示されているとき、利用者が、番組ナビから予約Ｙ２を選択して決定すると、図４に示す番組ナビＭ３が表示される。番組ナビＭ３が表示されている状態で、利用者が記録予約したいコンテンツを選択して決定すると、決定したコンテンツの記録予約が登録される。
【００８５】
図８は、表示装置２１に表示される手動予約登録メニューＭ６を示す図である。表示装置２１に図６に示す予約方法選択メニューＭ５が表示されているとき、利用者が、マニュアル予約Ｙ３を選択して決定すると、中央制御部１１は、記録予約制御プログラム５ｄを実行して、手動予約登録メニューＭ６を表示装置２１に表示するように画像入出力部２を制御する。これによって図８に示す手動予約登録メニューＭ６が表示装置２１に表示される。手動予約登録メニューＭ６は、ステータス表示領域Ａ１、操作説明表示領域Ａ５および入力フォーム表示領域Ａ１１を有する。ステータス表示領域Ａ１および操作説明表示領域Ａ５は、前述の図３に示すチャンネル別番組表Ｍ２と同様であるので、同一の参照符号を付して詳細な説明は省略する。入力フォーム表示領域Ａ１１は、表示画面において中央部に配置される。入力フォーム表示領域Ａ１１には、コンテンツのタイトルである番組名と、コンテンツの記録を開始する記録開始日時と、コンテンツの記録を終了する記録終了日時と、コンテンツが提供されるチャンネルを選択する選局と、記録の種類と、記録の画質と、符号化方式の変換とを個々に入力するための入力ボックスが表示される。また入力フォーム表示領域Ａ１１には、「登録」ボタンＢ１および「戻る」ボタンＢ２が表示される。
【００８６】
表示装置２１に図８に示す手動予約登録メニューＭ６が表示されているとき、利用者は、リモコン２２のカーソルボタンを操作することによって、表示されているカーソルＣを上下左右に移動することができる。利用者は、リモコン２２を操作して、入力フォーム表示領域Ａ１１に表示されている入力ボックスを順番に選択しながら、選択した入力ボックスにコンテンツのタイトル、記録開始日時、記録終了日時、コンテンツが提供されるチャンネル、記録の種類、記録の画質、および符号化方式の変換を入力していく。全ての入力ボックスへの入力が完了し、入力した内容に基づいて予約録画を登録する場合には、利用者は、リモコン２２を操作して、入力フォーム表示領域Ａ１１に表示されている「登録」ボタンＢ１を選択して決定する。これによって入力されたコンテンツが予約録画の登録がなされて、入力された内容が予約情報として、データメモリ６の記録再生予約データ記録部６ａに記憶される。
【００８７】
利用者が、リモコン２２を操作して、入力フォーム表示領域Ａ１１に表示されている「戻る」ボタンＢ２を選択して決定すると、表示装置２１に予約方法選択メニューＭ５が表示される。
【００８８】
図９は、表示装置２１に表示されるキーワード一覧表Ｍ７を示す図である。表示装置２１に図６に示す予約方法選択メニューＭ５が表示されているとき、利用者が、キーワード予約Ｙ４を選択して決定すると、中央制御部１１は、キーワード予約制御プログラム５ｅを実行して、キーワード一覧表Ｍ７を表示装置２１に表示するように画像入出力部２を制御する。これによって図９に示すキーワード一覧表Ｍ７が表示装置２１に表示される。キーワード一覧表Ｍ７は、ステータス表示領域Ａ１、操作説明表示領域Ａ５およびキーワード一覧表示領域Ａ１２を有する。ステータス表示領域Ａ１および操作説明表示領域Ａ５は、前述の図３に示すチャンネル別番組表Ｍ２と同様であるので、同一の参照符号を付して詳細な説明は省略する。
【００８９】
キーワード一覧表示領域Ａ１２は、表示画面において中央部に配置される。キーワード一覧表示領域Ａ１２には、予め設定されデータメモリ６のキーワードデータ記憶部６ｃに記憶されている嗜好キーワードが、前記嗜好キーワードに対応するジャンルと、前記嗜好キーワードを含むインデックスに対応するコンテンツの記録予約の設定状態と、現在データメモリ６のＥＰＧデータ記憶部６ｂに記憶されているＥＰＧにおける前記嗜好キーワードを含むインデックスに対応するコンテンツの個数とともに、一覧表形式で表示される。
【００９０】
表示装置２１の表示画面に図９に示すキーワード一覧表Ｍ７が表示されているとき、利用者は、リモコン２２のカーソルボタンを操作することによって、表示されているカーソルＣを上下に移動させることができる。
【００９１】
図１０は、表示装置２１に表示されるキーワード編集メニューＭ８を示す図である。表示装置２１に図９に示すキーワード一覧表Ｍ７が表示されているとき、利用者が、リモコン２２を操作して、所望のキーワードを選択して決定すると、中央制御部１１は、キーワード予約制御プログラム５ｅを実行して、キーワード編集メニューＭ８を表示装置２１に表示するように画像入出力部２を制御する。これによって図１０に示すようなキーワード編集メニューＭ８が表示装置２１に表示される。キーワード編集メニューＭ８は、ステータス表示領域Ａ１、操作説明表示領域Ａ５およびキーワード編集領域Ａ１３を有する。ステータス表示領域Ａ１および操作説明表示領域Ａ５は、前述の図３に示すチャンネル別番組表Ｍ２と同様であるので、同一の参照符号を付して詳細な説明は省略する。
【００９２】
キーワード編集領域Ａ１３は、表示画面において中央部に配置される。キーワード編集領域Ａ１３には、登録および編集するキーワード、前記キーワードに対応するジャンルおよび前記キーワードに対してどのような処理をするかを示すアクションを入力するための入力ボックスが表示される。またキーワード編集領域Ａ１３には、「消去」ボタンＢ３、「登録」ボタンＢ４および「戻る」ボタンＢ５が表示される。
【００９３】
表示装置２１に図１０に示すキーワード編集メニューＭ８が表示されているとき、利用者は、リモコン２２のカーソルボタンを操作することによって、表示されているカーソルＣを上下左右に移動させることができる。利用者は、リモコン２２を操作して、キーワード編集領域Ａ１３に表示されている入力ボックスを順番に選択しながら、選択した入力ボックスに嗜好キーワード、前記嗜好キーワードに対応するジャンル、および前記嗜好キーワードを含むインデックスに対応するコンテンツに対する処理を入力していく。全ての入力ボックスへの入力が完了し、入力した内容に基づいて嗜好キーワードを登録する場合、利用者は、リモコン２２を操作して、キーワード編集領域Ａ１３に表示されている「登録」ボタンＢ４を選択して決定する。これによって嗜好キーワードが登録されて、データメモリ６のキーワードデータ記憶部６ｃに記憶される。
【００９４】
利用者がリモコン２２を操作して、前記入力ボックスを選択して決定すると、前記入力ボックスに、たとえば「｜」のような文字入力用カーソルが表示される。このとき、表示装置２１の表示画面の下部に、文字入力のために一時的に文字を表示するための文字入力領域が表示される。利用者は、リモコン２２に設けられる数字ボタンなどを押圧することによって、前記ボタンに予め割り当てられている文字を入力したり、漢字変換したりすることができる。所望の文字が文字入力領域に表示され、利用者がリモコン２２の決定ボタンを押圧すると、文字入力領域に表示されていた文字が、前記入力ボックスに表示される。入力ボックスへの文字入力が終了すると、利用者がリモコン２２の決定ボタンを押圧することで、カーソルＣの移動が可能になる。
【００９５】
また登録されている嗜好キーワードを消去する場合、利用者は、リモコン２２を操作して、消去したい嗜好キーワードを入力ボックスに入力して、キーワード編集領域Ａ１３に表示されている「消去」ボタンＢ３を選択して決定する。これによって入力ボックスに入力した嗜好キーワードが、データメモリ６のキーワードデータ記憶部６ｃから消去される。利用者は、リモコン２２を操作して、キーワード編集領域Ａ１３に表示されている「戻る」ボタンＢ５を選択して決定すると、表示装置２１にキーワード一覧表Ｍ７が表示される。
【００９６】
図１１は、表示装置２１に表示される予約確認メニューＭ９を示す図である。表示装置２１に図６に示す予約方法選択メニューＭ５が表示されているとき、利用者が、予約確認Ｙ５を選択して決定すると、中央制御部１１は、記録予約制御プログラム５ｄを実行して、予約確認メニューＭ９を表示装置２１に表示するように画像入出力部２を制御する。これによって図１１に示す予約確認メニューＭ９が表示装置２１に表示される。予約確認メニューＭ９は、ステータス表示領域Ａ１、操作説明表示領域Ａ５、予約一覧表示領域Ａ１４および予約情報表示領域Ａ１５を有する。ステータス表示領域Ａ１および操作説明表示領域Ａ５は、前述の図３に示すチャンネル別番組表Ｍ２と同様であるので、同一の参照符号を付して詳細な説明は省略する。
【００９７】
予約一覧表示領域Ａ１４は、表示画面において中央部上寄りに配置される。予約一覧表示領域Ａ１４には、データメモリ６の記録再生予約データ記憶部６ａに記憶されている予約情報に含まれる、記録予約されているコンテンツのタイトルおよび記録開始日時が、記録開始日時順に並んで、一覧表形式で表示される。また予約一覧表示領域Ａ１４において、現在記録中のコンテンツには、現在記録中であることを表す記録中マークＥ２が付加されて表示される。また予約一覧表示領域Ａ１４において、キーワード予約されたコンテンツには、キーワード予約による記録予約であることを表すキーワード予約マークＥ５が付加されて表示される。また予約一覧表示領域Ａ１４において、おすすめ予約されたコンテンツには、おすすめ予約による記録予約であることを表すおすすめ予約マークＥ６が付加されて表示される。
【００９８】
予約情報表示領域Ａ１５は、表示画面において予約一覧表示領域Ａ１４の下方に配置される。予約一覧表示領域Ａ１４には、データメモリ６の記録再生予約データ記憶部６ａに記憶されている予約情報に含まれる、記録予約されているコンテンツに対応するインデックスが表示される。
【００９９】
表示装置２１に図１１に示す予約確認メニューＭ９が表示されているとき、利用者は、リモコン２２のカーソルボタンを操作することによって、表示されているカーソルＣを上下に移動させることができる。図１１に示す予約確認メニューＭ９が表示されているとき、利用者は、リモコン２２を操作して、所望のコンテンツのタイトルを選択すると、予約情報表示領域Ａ１５には、選択されたコンテンツに対応するインデックスが表示される。また図１１に示す予約確認メニューＭ９が表示されているとき、利用者は、リモコン２２を操作して、所望のコンテンツのタイトルを選択して決定する。これによって表示装置２１には、図８に示すような手動予約登録メニューＭ６が表示される。
【０１００】
利用者が、リモコン２２に設けられる機能ボタンを押圧すると、表示装置２１に機能メニューが表示される（図示せず）。この機能メニューには、「予約内容の変更」ボタン、「番組内容を表示」ボタン、「ＷＥＢ検索」ボタン、「予約取消」ボタンおよび「キーワード予約」ボタンが、上から順に並んで表示される。利用者は、リモコン２２のカーソルボタンを操作することによって、表示されているカーソルを上下に移動させることができる。
【０１０１】
利用者が機能メニューの「予約内容の変更」ボタンを選択して決定すると、表示装置２１に図８に示す手動予約登録メニューＭ６が表示される。表示装置２１に、たとえば図４に示す番組ナビＭ３が表示されていて、あるコンテンツが選択されているときに、利用者が機能ボタンを押圧して「番組内容を表示」ボタンを選択して決定すると、表示装置２１に、前記コンテンツに対応するインデックスが、たとえばダイアログの態様で表示される。表示装置２１に、たとえば図１１に示す予約確認メニューＭ９が表示されていて、あるコンテンツが選択されているときに、利用者が機能ボタンを押圧して「ＷＥＢ検索」ボタンを選択して決定すると、前記コンテンツのタイトルなどを検索条件として、インターネットの検索サイトにおいて、前記コンテンツに関連する情報が検索され、その検索結果が表示装置２１に表示される。
【０１０２】
表示装置２１に、たとえば図１１に示す予約確認メニューＭ９が表示されていて、あるコンテンツが選択されているときに、利用者が機能ボタンを押圧して、「予約取消」ボタンを選択して決定すると、表示装置２１に「予約を消去しますか？」というダイアログが表示される。利用者が前記ダイアログ中の「はい」ボタンを選択して決定すると、前記コンテンツの記録予約が削除される。
【０１０３】
利用者が機能メニューの「キーワード予約」ボタンを選択して決定すると、表示装置２１に図９に示すキーワード一覧表Ｍ７が表示される。
【０１０４】
図１２は、記録予約が重複したときに表示装置２１に表示される予約重複確認メニューＭ１０を示す図である。コンテンツの記録予約が登録されると、中央制御部１１は、記録予約制御プログラム５ｄを実行して、データメモリ６の記録再生予約データ記憶部６ａに記憶されている予約情報に基づいて、登録されたコンテンツの提供時間枠が他の登録されているコンテンツの提供時間枠に重複しているか否かを判断する。中央制御部１１が、登録されたコンテンツの提供時間枠と他の登録されているコンテンツの提供時間枠とが重複していると判断すると、中央制御部１１は、予約重複確認メニューＭ１０を表示するように画像入出力部２を制御する。これによって表示装置２１に、図１２に示すような予約重複確認メニューＭ１０が表示される。
【０１０５】
予約重複確認メニューＭ１０は、ステータス表示領域Ａ１、操作説明表示領域Ａ５および重複コンテンツ表示領域Ａ１６を有する。ステータス表示領域Ａ１および操作説明表示領域Ａ５は、前述の図３に示すチャンネル別番組表Ｍ２と同様であるので、同一の参照符号を付して詳細な説明は省略する。重複コンテンツ表示領域Ａ１６は、表示画面において中央部に配置される。重複コンテンツ表示領域Ａ１６には、記録予約されているけれども、提供時間枠が重複している複数のコンテンツの提供時間枠およびタイトルなどを含む予約情報が、一覧表形式で表示される。また重複コンテンツ表示領域Ａ１６には、「する」ボタンＢ６および「しない」ボタンＢ７が、前記予約情報の下方に表示される。
【０１０６】
表示装置２１に図１２に示す予約重複確認メニューＭ１０が表示されているとき、利用者は、リモコン２２のカーソルボタンを操作することによって、表示されているカーソルＣを左右に移動させることができる。利用者は、リモコン２２を操作して、予約重複確認メニューＭ１０に表示されている「する」ボタンＢ６を選択して決定すると、提供時間枠が重複している複数のコンテンツの記録予約を登録することができる。このとき提供時間枠が重複している複数のコンテンツのうち、所定の方法で設定される優先度の高いコンテンツに対して、記録予約が実行される。また利用者は、リモコン２２を操作して、予約重複確認メニューＭ１０に表示されている「しない」ボタンＢ７を選択して決定すると、提供時間枠が重複している複数のコンテンツの記録予約の登録を解除することができる。
【０１０７】
図１３は、記録部４に記録予約されるコンテンツを記録可能な記憶容量が無いときに表示装置２１に表示される容量不足確認メニューＭ１１を示す図である。コンテンツの記録予約が登録されると、中央制御部１１は、記録予約制御プログラム５ｄを実行して、データメモリ６の記録再生予約データ記憶部６ａに記憶されている予約情報と、記録部４とに基づいて、記録予約が登録されるコンテンツを記録部４に記録可能であるか否かを判断する。中央制御部１１が、記録部４には前記コンテンツを記録不可能であると判断すると、中央制御部１１は、容量不足確認メニューＭ１１を表示するように画像入出力部２を制御する。これによって表示装置２１に、図１３に示すような容量不足確認メニューＭ１１が表示される。
【０１０８】
容量不足確認メニューＭ１１は、ステータス表示領域Ａ１、操作説明表示領域Ａ５および記録時間表示領域Ａ１７を有する。ステータス表示領域Ａ１および操作説明表示領域Ａ５は、前述の図３に示すチャンネル別番組表Ｍ２と同様であるので、同一の参照符号を付して詳細な説明は省略する。記録時間表示領域Ａ１７は、表示画面において中央部に配置される。記録時間表示領域Ａ１７には、記録予約されコンテンツを記録するのに必要な時間と、記録部４が記録可能な記録時間とが表示される。また記録時間表示領域Ａ１７には、「する」ボタンＢ８および「しない」ボタンＢ９が、前記予約情報の下方に表示される。
【０１０９】
表示装置２１に図１３に示す容量不足確認メニューＭ１１が表示されているとき、利用者は、リモコン２２のカーソルボタンを操作することによって、表示されているカーソルＣを左右に移動させることができる。利用者は、リモコン２２を操作して、容量不足確認メニューＭ１１に表示されている「する」ボタンＢ８を選択して決定すると、コンテンツの記録予約を登録することができる。また利用者は、リモコン２２を操作して、容量不足確認メニューＭ１１に表示されている「しない」ボタンＢ９を選択して決定すると、前記コンテンツの記録予約の登録を解除することができる。
【０１１０】
本実施の形態において、提供元は放送局２０であり、記録装置は画像記録再生装置１であり、入力手段は指示入力部７であり、記録手段は記録部４であり、記録制御手段および取得制御手段は中央制御部１１である。また提供予定情報は、電子番組案内（略称：ＥＰＧ）である。この画像記録再生装置１によって、記録方法を実行する。
【０１１１】
図１４は、手動予約を登録するときの重複予約に関する処理の手順を示すフローチャートである。図１５は、記録予約が重複したときに表示装置２１に表示される予約重複確認メニューＭ２０を示す図である。図１５に示す予約重複確認メニューＭ２０は、前述の図１２に示す予約重複確認メニューＭ１０と類似しているので、同様の構成には同一の参照符号を付し、詳細な説明は省略する。図１４に示す手動予約を登録するときの重複予約に関する処理の手順は、中央制御部１１が、プログラムメモリ５に記憶される記録予約制御プログラム５ｄを実行することによって行われる。中央制御部１１は、記録予約とＥＰＧとに基づいて、前記予約されるコンテンツを記録するように記録部４を制御する。
【０１１２】
ステップａ０で、中央制御部１１が、プログラムメモリ５に記憶される記録予約制御プログラム５ｄを実行して、手動予約を登録するときの重複予約に関する処理の手順が開始されると、ステップａ１に進む。ステップａ１では、中央制御部１１は、後述の図１６に示すフローチャートの手順に従って、手動予約を登録するための処理を行って、ステップａ２に進む。手動予約は、利用者がリモコン２２および指示入力部７を入力操作して、入力された指定情報によって指定されるコンテンツの記録を予約する記録予約である。手動予約を含む記録予約の登録は、後述の重複処理前候補リスト（表１参照）に、実際に記録するための予約の候補として、記録予約したいコンテンツに関する予約情報を登録することを表わす。
【０１１３】
ステップａ２では、中央制御部１１は、記録予約制御プログラム５ｄを実行して、登録した記録予約に、記録予約の重複があるか否かを判断する。具体的には中央制御部１１は、予約情報に基づいて、ステップａ１で手動予約したコンテンツと、その手動予約したコンテンツよりも先に記録予約したコンテンツとが、提供時間枠において少なくとも部分的に一致するか否かを判断する。これによって中央制御部１１は、提供時間枠が少なくとも部分的に一致する複数のコンテンツの記録が予約される重複予約が生じているか否かを判断する。中央制御部１１は、複数のコンテンツがそれらの提供時間枠において１秒でも一致するときには、重複予約が生じていると判断する。ステップａ２で記録予約の重複があると判断されるとステップａ３に進み、記録予約の重複がないと判断されるとステップａ６に進む。
【０１１４】
ステップａ３では、中央制御部１１は、重複予約が生じたことを報知するために、図１５に示す予約重複確認メニューＭ２０を表示するように、報知手段でもある画像入出力部２を制御する。これによって予約重複確認メニューＭ２０が表示装置２１に表示される。図１５の例では、手動予約したいコンテンツの提供時間枠が、２２時００分から２２時５４分までであり、キーワード予約したコンテンツの提供時間枠が、２１時５４分から２３時１８分まであって、それらの提供時間枠が部分的に一致していることを報知している。予約重複確認メニューＭ２０が表示されるのは、手動予約を登録したときだけである。このように利用者が手動予約を登録することによって、重複予約が生じたときには、予約重複確認メニューＭ２０が表示されるので、利用者は、重複予約が生じたか否かを容易に知ることができる。ステップａ３で予約重複確認メニューＭ２０が、表示されるとステップａ４に進む。
【０１１５】
ステップａ４では、中央制御部１１は、重複予約してよいか否かを判断する。表示されている予約重複確認メニューＭ２０において、利用者がリモコン２２および指示入力部７を入力操作して、「する」ボタンＢ６および「しない」ボタンＢ７のいずれか一方を選択して決定する。利用者が「する」ボタンＢ６を選択して決定すると、ステップａ４で中央制御部１１は、利用者による入力操作指示入力部７からの入力指令に基づいて、重複予約してよい、すなわち手動予約したいコンテンツに関する予約情報を登録してよいと判断して、ステップａ５に進む。利用者が「しない」ボタンＢ７を選択して決定すると、ステップａ４で中央制御部１１は、重複予約しない、すなわち手動予約したいコンテンツに関する予約情報を登録しないと判断して、手動予約が登録されずに、ステップａ７に進んですべての手順を終了する。
【０１１６】
ステップａ５では、中央制御部１１は、手動予約よりも先に記録予約したコンテンツに関する予約情報のうち記録の可／不可を、「不可」にする。前記記録の可／不可についての詳細な説明は後述する。ステップａ５で先に登録した記録予約における記録の可／不可が「不可」にされると、ステップａ６に進む。ステップａ６では、中央制御部１１は、手動予約を優先させてコンテンツを記録するために、手動予約の予約情報のうち記録の可／不可を「可」にする。ステップａ６で手動予約の予約情報のうち記録の可／不可が「可」にされると、ステップａ７に進んですべての手順を終了する。このように記録予約したコンテンツを記録するにあたって、中央制御部１１は、重複予約が生じたとき、利用者が手動予約を優先させたいときには、手動予約よりも先に登録された記録予約を無効にして、手動予約を有効にするように制御する。
【０１１７】
図１６は、手動予約を登録する手順を示すフローチャートである。ステップｂ０では、中央制御部１１は、記録予約制御プログラム５ｄを実行して、手動予約を登録する手順を開始してステップｂ１に進む。ステップｂ１では、中央制御部１１は、ＥＰＧ表示プログラム５ｉを実行して、チャンネル別番組表Ｍ２を表示装置２１に表示するように制御する。チャンネル別番組表Ｍ２が表示装置２１に表示されると、ステップｂ２に進む。
【０１１８】
ステップｂ２では、中央制御部１１は、利用者がリモコン２２を入力操作して、表示されているカーソルＣの移動を示す入力指令が指示入力部７に与えられたか否かを判断する。カーソルＣの移動を示す入力指令が、指示入力部７に与えられたと判断されるとステップｂ３に進み、指示入力部７に与えられていないと判断されるとステップｂ４に進む。
【０１１９】
ステップｂ３では、中央制御部１１が、表示されているカーソルＣの移動を示す入力指令に応じてＯＳＤ生成部３を制御して、表示されているカーソルＣを移動させる。ステップｂ３で表示されているカーソルＣが移動されると、ステップｂ４に進む。ステップｂ４では、中央制御部１１が、利用者がリモコン２２を入力操作して、選択して決定したコンテンツの手動予約の登録を示す入力指令を指示入力部７に与えたか否かを判断する。ステップｂ４で、決定したコンテンツの手動予約の登録を示す入力指令が、指示入力部７に与えられたと判断されるとステップｂ５に進み、指示入力部７に与えられていないと判断されるとステップｂ６に進む。
【０１２０】
ステップｂ５では、中央制御部１１が、手動予約の予約情報を記憶するように、データメモリ６の記録再生予約データ６ａを制御する。これによって利用者が選択して決定したコンテンツの手動予約が、重複処理前候補リストに登録される。
表１は、記録予約が登録される重複処理前候補リストを示す表である。
【０１２１】
【表１】
2004153729.tif 000003
【０１２２】
表１に示す重複処理前候補リストには、具体的には記録予約したコンテンツに関する予約情報が登録されている。予約情報は、記録予約される各コンテンツの、登録番号、記録開始日時、記録終了日時、チャンネル、コンテンツ内容、記録予約種別および記録の可／不可を含む。登録番号は、記録予約が候補リストに登録された順に与えられ、記録予約の候補リストへの登録順位を示す。記録開始日時は、記録予約されるコンテンツの記録を開始する年月日および時刻を示す。記録終了日時は、記録予約されるコンテンツの記録を終了する年月日および時刻を示す。
【０１２３】
チャンネルは、記録予約されるコンテンツが提供される放送局２０に対応するチャンネルである。コンテンツ内容は、たとえば記録予約されるコンテンツに対応するＥＰＧのインデックスに含まれるコンテンツのタイトルである。記録予約種別は、コンテンツが手動予約、毎日／毎週予約、キーワード予約およびおすすめ予約のいずれで記録予約されているかを示す。前記記録予約種別の詳細な説明は後述する。記録の可／不可は、記録予約したコンテンツを記録するか否かを示し、記録予約したコンテンツを記録することを示す「可」と、記録予約したコンテンツを記録しないことを示す「不可」とを含む。記録の可／不可は、文字で表示するようにしてもよいし、「可」および「不可」を示すマークで表示するようにしてもよい。以下、記録の可／不可を「可」にすることを、「有効フラグを付加する」と表記するとともに、記録の可／不可を「不可」にすることを、「無効フラグを付加する」と表記することがある。
【０１２４】
表１に示す重複処理前候補リストにおいて、記録予約を登録した直後、少なくとも重複予約に関する処理が行われるまでは、登録したすべての記録予約には、有効フラグが付加されている。また重複処理前候補リストにおいて、たとえば、コンテンツが追記および上書きのいずれで記録予約されているかを示す記録種類と、コンテンツが標準、高画質および長時間のいずれで記録予約されているかを示す記録予定画質とを含んでもよい。記録種類および記録予定画質の詳細な説明は後述する。
【０１２５】
記録予約を登録したコンテンツのうち、記録すべきコンテンツは、前述の手動予約を登録するときの重複予約に関する処理と、後述の重複チェック処理とによって決定される。記録予約されているコンテンツの記録が完了すると、記録されたコンテンツに関する記録予約の予約情報は、重複処理前候補リストから削除される。
【０１２６】
ステップｂ５で手動予約が登録されてコンテンツが記録予約されると、ステップｂ６に進む。ステップｂ６では、中央制御部１１が、利用者がリモコン２２を入力操作して、利用者による手動予約を終了する入力指令を指示入力部７に与えたか否かを判断する。利用者による手動予約を終了する入力指令が、指示入力部７に与えられたと判断されるとステップｂ７に進んですべての手順を終了し、指示入力部７に与えられていないと判断されるとステップｂ２に進む。利用者は、表示装置２１の表示画面を見ながら、リモコン２２および指示入力部７を操作することで、記録したいコンテンツに関する予約情報を候補リストに容易に登録することができる。
【０１２７】
また手動予約は、利用者がリモコン２２を操作して、図８に示す手動予約登録メニューＭ６を表示装置２１に表示させて、コンテンツのタイトル、記録開始日時、記録終了日時、チャンネル、記録種類、記録予定画質および符号化方式の変換を入力ボックスに入力して、「登録」ボタンＢ１を選択して決定することによって登録してもよい。これによって入力された記録開始日時、記録終了日時、チャンネルおよび記録種類が、そのまま重複処理前候補リストに登録される。さらに入力されたコンテンツのタイトルが、コンテンツ内容として重複処理前候補リストに登録され、入力された記録予定画質がそのまま重複処理前候補リストに登録される。このとき記録予約種別は、手動予約として重複処理前候補リストに登録される。
【０１２８】
図１７は、毎日／毎週予約登録メニューＭ１２を示す図である。記録予約種別には、手動予約、毎日／毎週予約、キーワード予約およびおすすめ予約がある。毎日／毎週予約、キーワード予約およびおすすめ予約は、予め設定される条件を満たすコンテンツの記録を予約する自動予約に含まれる。繰返し予約である毎日／毎週予約は、特定の提供時間枠を繰返して予約する記録予約である。詳細に述べると、毎日／毎週予約には、毎日予約と毎週予約とがある。毎日予約は、チャンネル、ならびに記録が開始される時刻および記録が終了する時刻が毎日同じとなるコンテンツの記録予約である。また毎週予約は、チャンネル、曜日、ならびに記録が開始される時刻および記録が終了する時刻が毎週同じとなるコンテンツの記録予約である。毎日／毎週予約は、前述の手動予約において、記録種類を毎日および毎週の曜日を入力する、または毎日および毎週の曜日を選択して決定することによって、予約情報における記録予約種別が毎日／毎週予約となって登録される。
【０１２９】
毎日／毎週予約は、たとえば表１に示す重複処理前候補リストのような表示形式で表示装置２１に表示させて登録することができる。このとき表示される重複処理前候補リストに登録される記録予約は、登録番号、記録開始日時、記録終了日時、チャンネル、コンテンツ内容、記録予約種別および記録の可／不可が、上下方向に時系列順に並ぶ一覧表形式で表示される。表示される重複処理前候補リストは、表１に示す一覧表形式の他に、前述の図１１に示すような表示形式で表示装置２１に表示されてもよい。表１に示す重複処理前候補リストにおいて、記録予約種別は、文字で表わされているけれども、図１１に示すような各記録予約種別を表わすマークを用いて表わされてもよい。
【０１３０】
手動予約として登録したコンテンツのうち、毎日／毎週予約として登録したいコンテンツを選択して、たとえば利用者が毎日／毎週予約を登録するためにリモコン２２に設けられるボタンを押圧すると、図１７に示す毎日／毎週予約登録メニューＭ１２が表示装置２１に表示される。毎日／毎週予約登録メニューＭ１２は、ステータス領域Ａ１８およびチェック領域Ａ１９を有する。ステータス領域Ａ１８には、記録開始日時、記録終了日時、コンテンツのタイトルおよびメニュータイトルなどのステータス情報が表示される。チェック領域Ａ１９には、曜日および曜日毎に割り振られるチェックボックスＢ１０が表示される。ステータス領域Ａ１８は、表示画面において上端部に配置される。チェック領域Ａ１９は、表示画面において中央部に配置される。チェック領域Ａ１９には、チェックボックスＢ１０の下方に、「登録」ボタンＢ１１および「戻る」ボタンＢ１２がさらに表示される。
【０１３１】
表示装置２１に毎日／毎週予約登録メニューＭ１２が表示されているとき、利用者は、リモコン２２に設けられるカーソルボタンを操作することによって、表示されているカーソルＣを上下左右に移動することができる。利用者が、予約したい曜日に対応するチェックボックスＢ１０を各々選択および決定することによって、そのチェックボックスＢ１０に選択され決定されたことを示すチェック印（図１７において、チェックボックス中の「レ」で表わす）が付される。なお、既にチェック印が付されているチェックボックスＢ１０を選択して決定した場合は、そのチェック印が消去される。また、毎日／毎週予約登録メニューＭ１２にさらに「月〜金」ボタンを備え、該ボタンを選択して決定すると、月曜から金曜に対応するチェックボックスＢ１０に一括してチェック印が付されるようにしてもよい。このようにして一括してチェック印が付された後でも、さらに土曜のチェックボックスＢ１０にチェック印を付したり、月曜のチェックボックスＢ１０のチェック印のみを消去したりすることも可能である。さらに「月〜土」ボタン、「火〜土」ボタン、「月〜日」ボタン、「土〜日」ボタン等を備えても良い。利用者がリモコン２２および指示入力部７を入力操作して、「登録」ボタンＢ１１を選択して決定すると、記録予約の候補リストにおける記録予約種別が手動記録から毎日／毎週予約となるとともに、チェックボックスＢ１０でチェックされている曜日の情報が付されて登録される。利用者がリモコン２２および指示入力部７を入力操作して、「戻る」ボタンＢ１２を選択して決定すると、前の表示メニュー、たとえば重複処理前候補リストが表示される表示メニューに戻る。
【０１３２】
毎日／毎週予約は、重複処理前候補リストに登録するときに、その登録日時から予め定める一定期間先、たとえば１週間先の予約までが登録される。表１に示す重複処理前候補リストにおいて、登録番号「１」の記録予約は、利用者がリモコン２２を操作することによって、毎日／毎週予約として登録された一例である。
【０１３３】
また毎日／毎週予約を行うとき、記録種類を入力するようにしてもよい。記録種類は、コンテンツを追記および上書きのいずれで記録するかを示し、追記および上書きを含む。記録種類の追記とは、毎日／毎週予約であるコンテンツを記録するときに、前回に記録したものを記録部４に残して前記コンテンツを記録することである。記録種類の上書きとは、毎日／毎週予約であるコンテンツを記録するときに、前回に記録したものを記録部４から削除して前記コンテンツを記録すること、または前回に記録したものと同一の記録領域に前記コンテンツを記録することである。記録種類は、記録予約種別が手動予約、キーワード予約およびおすすめ予約の場合には、自動的に追記となる。
【０１３４】
図１８は、自動予約を登録するときの処理の手順を示すフローチャートである。ステップｃ０において、中央制御部１１は、記録予約制御プログラム５ｄを実行して、自動予約を登録するときの処理の手順を開始してステップｃ１に進む。記録予約制御プログラム５ｄは以下に示す各ステップを実行するために、必要な各プログラムを随時呼び出す制御も行う。ステップｃ１では、中央制御部１１は、ＥＰＧ取得プログラム５ｃを実行することによって、インターネット２５を介して接続されるＥＰＧサーバ２７に蓄積されるＥＰＧを取得するように通信部９を制御する。本実施の形態では、ＥＰＧの取得は、１日に２回、さらに詳細には、午前９時および午後６時に、中央制御部１１が、インターネット２５を介して接続されるＥＰＧサーバ２７に蓄積されているＥＰＧを取得するように通信部９を制御することによって行われる。通信部９によってＥＰＧが取得されると、取得したＥＰＧは、ＥＰＧデータ記憶部６ｂに記憶される。ステップｃ１でＥＰＧが通信部９によって取得されて、ＥＰＧデータ記憶部６ｂに記憶されると、ステップｃ２に進む。
【０１３５】
ステップｃ２では、中央制御部１１は、毎日／毎週予約するために、記録予約制御プログラム５ｄを実行して、ＥＰＧデータ記憶部６ｂに記憶されるＥＰＧを検索して、毎日／毎週予約したいコンテンツを抽出する。毎日／毎週予約したいコンテンツが抽出されて、そのコンテンツに関する予約情報が登録されると、ステップｃ３に進む。ステップｃ３において、毎日／毎週予約の登録件数は、ＥＰＧを取得したときに予め定める一定期間先までの予約が追加される。毎日／毎週予約は、予め定める一定期間の分だけが重複処理前候補リストに登録されており、重複処理前候補リストへの登録件数が制限された状態で登録される。ステップｃ３では、中央制御部１１は、キーワード予約するために、キーワード予約制御プログラム５ｅを実行して、ＥＰＧデータ記憶部６ｂに記憶されるＥＰＧを検索して、キーワード予約したいコンテンツを抽出する。
【０１３６】
キーワード予約は、予め設定される嗜好キーワードを含むインデックスに対応するコンテンツを予約する記録予約である。嗜好キーワードは、利用者がリモコン２２を操作して、図１０に示すキーワード編集メニューＭ８を表示装置２１に表示させて、入力ボックスに、嗜好キーワード、前記嗜好キーワードに対応するジャンル、および前記嗜好キーワードを含むインデックスに対応するコンテンツに対する処理を入力して、「登録」ボタンＢ４を選択して決定する。これによって嗜好キーワードが登録されて、データメモリ６のキーワードデータ記憶部６ｃに記憶される。ここで、前記嗜好キーワードを含むインデックスに対応するコンテンツに対する処理に、記録予約と入力することによって、当該コンテンツは予約情報に登録される。またこのとき、記録種類および記録予定画質を入力することもでき、入力された記録種類および記録予定画質が予約情報に登録される。また前記嗜好キーワードを含むインデックスに対応するコンテンツに対する処理に、記録予約しないと入力することによって、当該コンテンツに対しては、記録予約されない。
【０１３７】
ステップｃ３において、これまでに登録されていたキーワード予約の予約情報は、重複処理前候補リストから一旦消去されており、新たに抽出されたキーワード予約したいコンテンツに関する予約情報が、重複処理前候補リストに登録される。ステップｃ３でキーワード予約したいコンテンツが抽出されて、そのコンテンツに関する予約情報が登録されると、ステップｃ４に進む。ステップｃ４では、中央制御部１１は、おすすめ予約するために、おすすめ予約制御プログラム５ｆを実行して、ＥＰＧデータ記憶部６ｂに記憶されるＥＰＧを検索して、おすすめ予約したいコンテンツを抽出する。
【０１３８】
おすすめ予約は、利用者の利用状況に基づいてコンテンツを予約する記録予約である。おすすめ予約は、詳細には、データメモリ６の嗜好データ記憶部６ｄに記憶されている嗜好データに基づいて、コンテンツを予約する記録予約である。嗜好データは、中央制御部１１が嗜好データ抽出プログラム５ｈを実行することによって、利用者の利用状況に基づいて生成される。利用者の利用状況とは、たとえば利用者が、どのようなコンテンツを視聴、記録および記録予約したかを示す。中央制御部１１は、嗜好データ抽出プログラム５ｈを実行することによって、ＥＰＧから、利用者によって視聴、記録および記録予約されたコンテンツに対応するインデックスから嗜好データを生成する。さらに中央制御部１１は、おすすめ予約制御プログラム５ｆを実行して、嗜好データをインデックスに含むコンテンツを抽出して、前記コンテンツの提供時間枠およびチャンネルなどを含む予約情報を記録再生予約データ記憶部６ａに記憶する。このとき予約情報における記録予約種別は、おすすめ予約となる。
【０１３９】
ステップｃ４において、これまでに登録されていたおすすめ予約の予約情報は、重複処理前候補リストから一旦消去されており、新たに抽出されたおすすめ予約したいコンテンツに関する予約情報が、重複処理前候補リストに登録される。ステップｃ４でおすすめ予約したいコンテンツが抽出され、そのコンテンツに関する予約情報が登録されると、ステップｃ５に進む。
【０１４０】
前述の表１に示す予約情報は、記録予約種別が手動予約となっているコンテンツと、記録予約種別が毎日／毎週予約、キーワード予約およびおすすめ予約であるコンテンツであって、かつ記録開始日時が、重複処理前候補リストへの登録を実行している日時から予め定める一定期間先までの記録予約となっているコンテンツだけが登録される。本実施の形態において、予め定める一定期間は、たとえば１週間すなわち７日間としてもよい。このように予め定める一定期間の記録予約だけが重複処理前候補リストに登録されるので、重複処理前候補リストへの記録予約の登録件数が制限される。これによって重複処理前候補リストに大量の予約が登録されて、表示画面に表示される登録件数が多くなりすぎて、利用者が所望する情報を見つけにくくなるといった視認性を損なうことを防止することができる。
【０１４１】
ステップｃ５では、中央制御部１１は、記録予約制御プログラム５ｄを実行して、登録した複数の自動予約において重複予約が生じているか否かを判断する重複チェック処理をして、ステップｃ６に進む。ステップｃ６では、中央制御部１１は、重複チェック処理の処理結果に基づいて、表１に示す重複処理前候補リストにおける記録の可／不可を「可」および「不可」のいずれか一方にする。具体的には重複予約が生じているときには、中央制御部１１は、予め定める優先順位（表２参照）に基づいて、自動予約同士のうちいずれの予約を優先させるかを判断して、記録の可／不可を「可」および「不可」のいずれか一方にするように制御する。中央制御部１１は、重複予約が生じていないときには、登録したすべての記録予約における記録の可／不可を「可」にして有効フラグを付加するように制御する。ステップｃ６で記録の可／不可が「可」または「不可」にされると、ステップｃ７に進んですべての手順を終了する。
【０１４２】
図１９は、図１８のステップｃ５における重複チェック処理の手順を示すフローチャートである。重複チェック処理を行うにあたって、記録予約の優先順位は、表２のように予め設定される。
表２は、記録予約種別の優先順位を示す表である。
【０１４３】
【表２】
2004153729.tif 000004
【０１４４】
表２において、優先順位が１位の予約は手動予約であり、優先順位が２位の予約は毎日／毎週予約であり、優先順位が３位の予約はキーワード予約であり、優先順位が４位の予約はおすすめ予約である。優先順位が４位から１位になる、すなわち優先順位が高くなるにつれて、優先度は高くなる。手動予約は、その優先順位が自動予約よりも常に高くなるように設定される。自動予約において、優先順位が最も高いのは、毎日／毎週予約である。記録予約の優先順位を示す情報は、たとえば記録再生予約データ記憶部６ａに記憶されている。
【０１４５】
ステップｄ０では、中央制御部１１は、記録予約制御プログラム５ｄを実行して、重複チェック処理の手順を開始して、ステップｄ１に進む。ステップｄ１では、中央制御部１１は、表１に示す重複処理前候補リストに登録した複数の記録予約を記録予約種別に基づいて並べ替えるように、記録再生予約データ記憶部６ａを制御する。記録予約は、重複チェック処理が行われるまでは、重複処理前候補リストのように、複数の記録予約が登録番号の順に並んでいる。中央制御部１１が記録再生予約データ記憶部６ａを制御することによって、表３に示す並び替え後候補リストのように、登録された複数の記録予約が並び替えられる。
【０１４６】
表３は、表１に示す重複処理前候補リストに登録される記録予約を、同一の記録予約種別毎に並び替えた後の並び替え後候補リストである。
【０１４７】
【表３】
2004153729.tif 000005
【０１４８】
表３に示す並び替え後候補リストにおいて、登録される複数の記録予約は、記録予約種別毎に、かつ複数の記録予約が同一の記録予約種別で登録されているときには、それらが連続するように並び替えられる。並び替え後候補リストは、表示装置２１に表示されてもよいし、表示されなくてもよい。並び替え後候補リストにおいて、記録の可／不可の変化についての説明は後述する。
【０１４９】
ステップｄ１で登録した記録予約が、記録予約種別に基づいて並び替えられると、ステップｄ２に進む。ステップｄ２では、中央制御部１１は、記録再生予約データ記憶部６ａを制御して、並び替え後候補リストから判断対象記録予約を読み込む。判断対象記録予約を読み込むとは、並び替えた複数の記録予約のうち、判断対象記録予約として記録再生予約データ記憶部６ａから抽出されたことがない１件の記録予約を、判断対象記録予約として抽出することを表わす。これによって中央制御部１１は、登録される記録予約から１件の記録予約を判断対象記録予約として読み込む。ステップｄ２で１件の判断対象記録予約が読み込まれると、ステップｄ３に進む。
【０１５０】
ステップｄ３では、中央制御部１１は、記録再生予約データ記憶部６ａを制御して、並び替え後候補リストから比較対象記録予約を読み込む。比較対象記録予約を読み込むとは、並び替えた複数の記録予約のうち、判断対象記録予約として読み込まれた記録予約とは異なる他の１件の記録予約を、記録再生予約データ記憶部６ａから抽出することを表わす。これによって中央制御部１１は、登録される記録予約から前記他の１件の記録予約を比較対象記録予約として読み込む。ステップｄ３で比較対象記録予約が読み込まれると、ステップｄ４に進む。
【０１５１】
ステップｄ４では、中央制御部１１は、読み込まれた判断対象記録予約および比較対象記録予約の予約情報、ならびにＥＰＧに基づいて、重複予約が生じているか否かを判断する。中央制御部１１は、判断対象記録予約および比較対象記録予約が、それらの提供時間枠において少なくとも部分的に一致するときには、重複予約が生じていると判断する。ステップｄ４で重複予約が生じていると判断されると、ステップｄ５に進み、重複が生じていないと判断されると、ステップｄ８に進む。
【０１５２】
ステップｄ５では、中央制御部１１は、記録予約種別の優先順位に基づいて、判断対象記録予約の優先順位が、比較対象記録予約の優先順位よりも高いか否かを判断する。ステップｄ５で判断対象記録予約の優先順位が、比較対象記録予約の優先順位よりも高いと判断するとステップｄ８に進む。ステップｄ５で判断対象記録予約の優先順位が比較対象記録予約の優先順位と同じ、および判断対象記録予約の優先順位が比較対象記録予約の優先順位よりも低いのいずれかであると判断すると、ステップｄ６に進む。判断対象記録予約の優先順位が比較対象記録予約の優先順位と同じとは、同一種別の予約同士であることを表わす。
【０１５３】
ステップｄ６では、中央制御部１１は、判断対象記録予約および比較対象記録予約の予約情報ならびに記録予約種別の優先順位に基づいて、判断対象記録予約および比較対象記録予約が同一種別の予約同士であり、かつ判断対象記録予約の登録が比較対象記録予約の登録よりも遅いか否かを判断する。中央制御部１１は、同一種別の予約同士で重複予約が生じたとき、それらの記録予約のうちいずれが最新の予約であるか否かを判断し、最新の予約を優先させて、コンテンツを記録するように制御する。本実施の形態では、最新の予約は、同一種別の予約同士のうち、重複処理前候補リストに後に登録された予約であって、登録番号が大きいほうの予約である。
【０１５４】
中央制御部１１は、判断対象記録予約の登録が比較対象記録予約の登録よりも遅いとき、判断対象記録予約が最新の予約であると判断する。中央制御部１１は、判断対象記録予約の登録が比較対象記録予約の登録よりも早いとき、判断対象記録予約が最新の予約ではないと判断する。ステップｄ６で判断対象記録予約および比較対象記録予約が同一種別の予約同士であり、かつ判断対象記録予約の登録が比較対象記録予約の登録よりも遅いと判断されると、ステップｄ８に進む。ステップｄ６で判断対象記録予約の優先順位が、比較対象記録予約の優先順位よりも低い、または優先順位が同じであるけれども、判断対象記録予約の登録が比較対象記録予約の登録よりも早いと判断されると、ステップｄ７に進む。
【０１５５】
ステップｄ７では、中央制御部１１は、判断対象記録予約に無効フラグを付加して、ステップｄ８に進む。ステップｄ８では、中央制御部１１は、比較対象記録予約が最後の記録予約であるか否かを判断する。中央制御部１１は、登録される複数の記録予約に関して、ステップｄ２で読み込んだ１件の判断対象記録予約に対して、それを除く残余の記録予約を比較対象記録予約としてすべて読み込んだか否かを判断する。ステップｄ８において、ステップｄ２で読み込まれた１件の判断対象記録予約に対して、それを除く残余の記録予約が比較対象記録予約としてすべて読み込まれたとき、中央制御部１１が、比較対象記録予約は最後の予約であると判断して、ステップｄ９に進む。ステップｄ８において、ステップｄ２で読み込んだ１件の判断対象記録予約に対して、それを除く残余の記録予約のうち、比較対象記録予約として読み込まれていない記録予約があるとき、中央制御部１１は、比較対象記録予約は最後の予約ではないと判断して、ステップｄ３に進む。
【０１５６】
ステップｄ９では、中央制御部１１は、判断対象記録予約が最後の記録予約であるか否かを判断する。ステップｄ９において、登録される複数の記録予約が、判断対象記録予約としてすべて読み込まれたとき、中央制御部１１が、判断対象記録予約は最後の予約であると判断して、ステップｄ１０に進んで重複チェック処理のすべての手順を終了する。ステップｄ９において、登録される複数の記録予約のうち、１件の判断対象記録予約として読み込まれていない記録予約があるとき、中央制御部１１が、判断対象記録予約は最後の予約ではないと判断して、ステップｄ２に進む。
【０１５７】
たとえば表３に示す並び替え後候補リストに登録される６件の記録予約において、判断対象記録予約が登録番号「３」の記録予約であるとき、比較対象記録予約が登録番号「３」の記録予約を除く残余の記録予約のうちいずれであっても、ステップｄ４では、重複が生じていると判断されない。これによって登録番号「３」の記録予約の記録の可／不可は、「可」のまま変化しない。候補リストにおいて、記録の可／不可の変化は、記録の可／不可が重複チェック処理の前後で、「可」および「不可」のいずれに変化したかを示す。判断対象記録予約として、登録番号「３」の記録予約が読み込まれた後、登録番号「３」の記録予約を除く残余の記録予約が順に読み込まれる。
【０１５８】
判断対象記録予約が登録番号「５」の記録予約であり、比較対象記録予約が登録番号「６」の記録予約であるとき、ステップｄ４で重複予約が生じると判断される。登録番号「５」および「６」の記録予約は、それらの記録予約種別がともに手動予約であり、かつ登録番号「５」の記録予約のほうが登録番号「６」の記録予約よりも登録が早い。これによってステップｄ６で登録番号「５」および「６」の記録予約のうち、登録番号「６」の記録予約が最新の予約と判断されるので、ステップｄ７で判断対象記録予約である登録番号「５」の記録予約に無効フラグが付加される。これによって登録番号「５」の記録予約の記録の可／不可は、「可」から「不可」に変化する。
【０１５９】
判断対象記録予約が登録番号「６」の記録予約であるとき、比較対象記録予約として、登録番号「５」または「４」の記録予約が読み込まれると、ステップｄ４で重複予約が生じると判断される。比較対象記録予約が登録番号「５」の記録予約であるとき、登録番号「６」および「５」の記録予約は、それらの記録予約種別がともに手動予約であり、登録番号「６」の記録予約のほうが登録番号「５」の記録予約よりも登録が遅い。これによってステップｄ６で登録番号「６」の記録予約は、最新の予約であると判断される。したがって登録番号「６」の記録予約に無効フラグが付加されずに、登録番号「６」の記録予約の記録の可／不可は、「可」のままで変化しない。
【０１６０】
登録番号「１」、「２」および「４」の記録予約についても、判断対象記録予約としてそれぞれ読み込まれて、重複チェック処理の手順に従って判断されると、登録番号「１」、「２」および「４」の記録予約に無効フラグが付加される。これによって登録番号「１」、「２」および「４」の記録予約の記録の可／不可は、「可」から「不可」にそれぞれ変化する。
表４は、重複チェック処理後の重複処理後候補リストを示す。
【０１６１】
【表４】
2004153729.tif 000006
【０１６２】
表４に示す重複処理後候補リストにおいて、重複チェック処理によって、登録される各記録予約に対して、有効フラグおよび無効フラグのいずれか一方が付加されている。無効フラグが付加された記録予約は、それよりも優先順位が高い記録予約が重複処理後候補リストから削除されるなどしたときには、重複チェック処理の結果によって有効フラグが付加される、すなわち記録予約が有効になる場合がある。したがって記録予約は、利用者が削除したり、予約されたコンテンツの記録が完了しない限り、重複処理後候補リストにそのまま登録されている。前述の図１１の予約確認メニューＭ９および表４に示す重複処理後候補リストにおいて、有効フラグが付加された記録予約だけを表示するようにしてもよいし、それらに加えて無効フラグが付加された記録予約も識別可能に表示するようにしてもよい。
【０１６３】
コンテンツを取得するにあたって、中央制御部１１は、画像入出力部２が予約されていないコンテンツを取得中に、予約されたコンテンツの提供開始時刻に至ったとき、予約されたコンテンツを取得するように、画像入出力部２を制御する。中央制御部１１は、予約されたコンテンツが取得されると、そのコンテンツを記録部４に記録するように制御する。たとえば予約されていないコンテンツが、取得されて表示装置２１に表示されているときに、予約されたコンテンツの提供開始時刻に至ると、画像入出力部２が、予約されたコンテンツを取得するように中央制御部１１によって制御される。予約されたコンテンツの提供開始時刻に至ると、予約されたコンテンツは、画像入出力部２によって取得されて、表示装置２１に表示される。これによって表示装置２１に表示されるコンテンツは、予約されていないコンテンツから予約されたコンテンツに切り替わる。利用者は、表示装置２１に表示されるコンテンツを見て、自分で予約したコンテンツであることを確認することができる。
【０１６４】
また予約されていないコンテンツを取得中に、予約されたコンテンツの提供開始時刻よりも前に、前記提供開始時刻に至ることを報知するための情報を表示画面に表示してもよい。また予約されたコンテンツの提供時刻を過ぎた後に、予約されたコンテンツの提供開始時刻に至ったので、予約されたコンテンツを取得したことを報知するための情報を表示画面に表示してもよい。これによって利用者が、表示画面に表示される情報を見て、自分で予約したコンテンツであることを確実に知ることができる。
【０１６５】
また中央制御部１１は、重複予約が生じた提供時間枠においては、有効フラグが付加されたコンテンツを記録するとともに、無効フラグが付加されたコンテンツを記録しないように制御する。このとき中央制御部１１は、重複予約が生じていない提供時間枠においては、記録部４の容量などを考慮して、無効フラグが付加されたコンテンツを部分的に記録するように記録部４を制御してもよい。これによって利用者の嗜好により合った記録予約を行って、コンテンツを記録することができる。
【０１６６】
中央制御部１１は、同一種別の予約同士で重複予約が生じたとき、最新の予約を優先させて、コンテンツを記録するように制御したけれども、記録の質の高い予約を優先させて、コンテンツを記録するように制御してもよい。記録の質は、記録予定画質を含む。記録予定画質は、記録時間当たりの記録容量で表わされ、高画質、標準および長時間の記録画質を含む。高画質の記録予定画質とは、たとえばコンテンツが、記録時間１分当たりの記録容量が約６０メガバイトとなる符号化ビットレートで符号化されて、記録部４に記録されるような記録画質である。標準の記録予定画質とは、たとえばコンテンツが、記録時間１分当たりの記録容量が約３０メガバイトとなる符号化ビットレートで符号化されて、記録部４に記録されるような記録画質である。長時間の記録予定画質とは、たとえばコンテンツが、記録時間１分当たりの記録容量が約１５メガバイトとなる符号化ビットレートで符号化されて、記録部４に記録されるような記録画質である。
【０１６７】
記録予定画質は、利用者がリモコン２２を操作して、高画質、標準および長時間のうちいずれかを指定することによって、記録予約の予約情報とともに候補リストに登録される。たとえば記録の質において、優先順位は、記録予定画質が、高画質と指定されるときが最も高く、標準と指定されるときが２番目に高く、長時間と指定されるときが最も低いと予め定められる。
【０１６８】
重複チェック処理は、ステップｄ６における処理が異なるだけであり、同様の処理についての説明は省略し、ステップｄ６における処理についてだけ説明する。ステップｄ６では、中央処理部１１は、判断対象記録予約および比較対象記録予約の優先順位が同じ、すなわち同一の記録予約種別の予約同士であり、かつ判断対象記録予約の記録の質が比較対象記録予約の記録の質よりも高いか否かを判断する。ステップｄ６において、中央処理部１１は、同一の記録予約種別の予約同士であり、かつ判断対象記録予約の記録の質が比較対象記録予約の記録の質よりも高いと判断すると、ステップｄ８に進む。ステップｄ６において、中央処理部１１は、判断対象記録予約の優先順位が、比較対象記録予約の優先順位よりも低い、または判断対象記録予約のほうが比較対象記録予約よりも記録の質が低く指定されていると判断すると、ステップｄ７に進む。
【０１６９】
また中央制御部１１は、同一種別の予約同士で重複予約が生じたとき、コンテンツと嗜好情報である嗜好データとの一致度合いが高いコンテンツの予約を優先させて、コンテンツを記録するように制御してもよい。嗜好情報は、利用者の嗜好を表わす情報である。嗜好データは、嗜好情報取得手段でもある指示入力部７によって取得されて、嗜好データ記憶部６ｄに記憶される。コンテンツと嗜好データとの一致度合いは、おすすめマークＥ１に基づいて設定される。おすすめマークＥ１は、おすすめ度の高いコンテンツに付加されて表示される。たとえば１つのコンテンツに対して付加されるおすすめマークＥ１は、その上限数が予め設定されており、その上限数に近づくにつれて、コンテンツと嗜好データとの一致度合いが高くなる。
【０１７０】
重複チェック処理は、ステップｄ６における処理が異なるだけであり、同様の処理についての説明は省略し、ステップｄ６における処理についてだけ説明する。ステップｄ６では、中央処理部１１は、判断対象記録予約および比較対象記録予約の優先順位が同じ、すなわち同一の記録予約種別の予約同士であり、かつ判断対象記録予約におけるコンテンツと嗜好データとの一致度合いが、比較対象記録予約におけるコンテンツと嗜好データとの一致度合いよりも高いか否かを判断する。ステップｄ６で同一の記録予約種別の予約同士であり、かつ判断対象記録予約におけるコンテンツと嗜好データとの一致度合いが、比較対象記録予約におけるコンテンツと嗜好データとの一致度合いよりも高いと判断されると、ステップｄ８に進む。ステップｄ６で同一の記録予約種別の予約同士ではない、または判断対象記録予約におけるコンテンツと嗜好データとの一致度合いが、比較対象記録予約におけるコンテンツと嗜好データとの一致度合いよりも低いと判断されると、ステップｄ７に進む。
表５は、記録されたコンテンツに関する情報を示す表である。
【０１７１】
【表５】
2004153729.tif 000007
【０１７２】
表５において、記録されたコンテンツに対して、「消去不可」のフラグが付加されている状態を示している。利用者は、リモコン２２および指示入力部７を入力操作することによって、記録したコンテンツに「消去不可」のフラグを付加して、付加したコンテンツを記録部４から消去されないように保護することができる。たとえば利用者は、リモコン２２および指示入力部７を入力操作して、記録されたコンテンツのうち、「消去不可」のフラグを付加したいコンテンツを選択して決定する。これによって記録された複数のコンテンツのうち、所望のコンテンツが記録部４から消去されないように保護することができる。
【０１７３】
中央制御部１１は、利用者による入力操作以外は、「消去不可」のフラグが付加されるコンテンツを消去しないで保護するように、記録部４を制御する。中央制御部１１は、指示入力部７からの入力指令に基づいて、「消去不可」のフラグを付加されたコンテンツと同じタイトルのコンテンツに、おすすめマークＥ１を付加するなどしておすすめ度が高くなるように嗜好データを生成する。これによって「消去不可」のフラグが付加されているコンテンツと同じタイトルのコンテンツは、前記フラグが付加されていないコンテンツと同じタイトルのコンテンツに比べて、おすすめ度が高くなっている。このように利用者が記録部４に残しておきたいコンテンツと同じタイトルのコンテンツの優先順位を高くすることができる。これによって利用者の嗜好に合ったコンテンツを、優先的にかつ確実に取得して記録することができる。
【０１７４】
同一種別の予約同士で重複予約が生じたときの優先順位に関する情報は、記録再生予約データ記憶部６ａに記憶されている。同一種別の予約同士で重複予約が生じたときの優先方式には、最新の予約を優先させる方式と、記録の質の高い予約を優先させる方式と、コンテンツと嗜好情報との一致度合いが高い予約を優先させる方式とがある。これらの３つの優先方式のうちいずれの優先方式に従って記録予約するかを、利用者が選択して設定することができる。たとえば利用者が、リモコン２２および指示入力部７を入力操作して、図２に示すアプリメニューＭ１の設定Ｈ８から、３つの優先方式に関する項目を選択して決定する。これによって３つの優先方式を選択するための画面が表示装置２１に表示される。この表示画面に基づいて、利用者は、３つの優先方式のうちいずれの優先方式で、記録予約の重複チェック処理を行うかを選択して決定することができる。また優先順位の低い予約を選択し、かつその優先順位を上げて記録予約する不具合が生じることを確実に防止することができる。これによって利用者の意思が反映された記録予約が優先されるので、利用者の望むコンテンツを確実に取得して記録することができる。
【０１７５】
また上記３つの優先方式を組み合わせて実行しても良い。例えば、最初に記録の質の高い予約を優先させる方式を用いて優先順位を決定し、それでも優先順位が同一になったもの、すなわち同一種別の予約同士でありかつ同一の記録の質であるものについては、さらにコンテンツと嗜好情報との一致度合いが高い予約を優先させる方式を用いて優先順位を決定し、それでも優先順位が同一になったものについては、さらに最新の予約を優先させる方式をとるようにすれば、より利用者の意思が反映された記録予約が優先されるので、利用者の望むコンテンツを確実に取得して記録することができる。
【０１７６】
また前述の実施の形態では、予めその機能を有する装置によって実現されたけれども、この記録方法をコンピュータに実行させるためのプログラムに記録された状態で実現されてもよい。このような場合、コンピュータを用いて、同様の方法を実行することが可能である。
【０１７７】
本実施の形態の画像記録再生装置１によれば、経時的に変化するコンテンツが、予め設定される提供時間枠に区切られる提供予定に従って提供元から提供される。このコンテンツは、記録部４への記録を予約する記録予約と、前記提供予定を表わすＥＰＧとに基づいて、画像入出力部２によって取得されて、記録部４によって記録される。コンテンツの記録は、利用者が指示入力部７を操作して入力した指定情報によって指定されるとき、手動予約で予約され、予め設定される条件を満たすとき、自動予約で予約される。複数のコンテンツの記録が予約される状態で、それらの提供時間枠が少なくとも部分的に一致する重複予約が生じたとき、手動予約を優先させてコンテンツを記録するように、記録部４が中央制御部１１によって制御される。このように重複予約が生じたときであっても、簡単な記録予約の優先順位に従って、利用者の意思が反映された記録予約を実現することができる。これによって利用者が望むコンテンツを確実に取得して記録することができる。
【０１７８】
また本実施の形態の画像記録再生装置１によれば、自動予約には、特定の提供時間枠を繰返して予約する繰返し予約である毎日／毎週予約と、予め設定される嗜好キーワードを含むインデックスに対応するコンテンツを予約するキーワード予約と、利用者の利用状況に基づいてコンテンツを予約するおすすめ予約とのうち少なくとも２つが含まれる。自動予約の毎日／毎週予約、キーワード予約およびおすすめ予約には、予め定める順に優先順位が設定されている。自動予約同士で重複予約が生じたとき、予め設定される優先順位に従って、優先順位の高い予約を優先させて、コンテンツを記録するように、記録部４が中央制御部１１によって制御される。これによって簡単な優先順位の設定で、利用者の嗜好の適合度合いが高いコンテンツを記録することができる。
【０１７９】
また本実施の形態の画像記録再生装置１によれば、画像入出力部２が予約されていないコンテンツを取得中に、予約されたコンテンツの提供開始時刻に至ったとき、予約されたコンテンツを取得するように、画像入出力部２が中央制御部１１によって制御される。このように予約されたコンテンツが、予約されていないコンテンツよりも優先的に取得される。これによって利用者が望むコンテンツを確実に取得することができる。
【０１８０】
また本実施の形態の画像記録再生装置１によれば、重複予約が生じたとき、重複予約が生じたことを報知手段が報知するので、利用者が所望のコンテンツの記録を予約したときに、重複予約が生じたか否かを容易に識別することができる。
【０１８１】
また本実施の形態の画像記録再生装置１によれば、記録予約するにあたって、記録部４にコンテンツを記録するときの記録の質を指定することができる。同一種別の予約同士で重複予約が生じたとき、記録の質の高い予約を優先させて、コンテンツを記録するように、記録部４が中央制御部１１によって制御される。記録の質を高くして記録予約されるコンテンツは、利用者にとって非常に重要度の高いコンテンツである可能性が高いので、利用者の意思がより反映された記録予約を実現することができる。
【０１８２】
また本実施の形態の画像記録再生装置１によれば、同一種別の予約同士で重複予約が生じたとき、最新の予約を優先させて、コンテンツを記録するように、記録部４が中央制御部１１によって制御される。このように同一種別の予約同士で重複予約が生じたときには、最新の予約が優先されるので、利用者が優先順位を直感的にかつ容易に理解することができる。
【０１８３】
また本実施の形態の画像記録再生装置１によれば、利用者の嗜好を表す嗜好情報が、指示入力部７によって取得される。同一種別の予約同士で重複予約が生じたとき、コンテンツと嗜好情報との一致度合が高いコンテンツの予約を優先させて、コンテンツを記録するように、記録部４が中央制御部１１によって制御される。これによって利用者が記録したいと思うコンテンツのうち、利用者の嗜好に合ったコンテンツを記録することができる。
【０１８４】
本実施の形態の画像記録再生装置１において、コンテンツは動画像および音声が含まれる動画像であるとしたけれども、これに限ることはない。コンテンツは、経時的に変化するような情報、たとえば音声としてもよい。またコンテンツは経時的に変化しない、たとえば静止画像、ウェブコンテンツなどのＨＴＭＬなどのマークアップ言語で記述されたデータおよびプログラムであってもよい。
【０１８５】
また本実施の形態の画像記録再生装置１において、提供元は放送局２０としたけれども、これに限ることはない。提供元は、たとえばインターネット２５を介して接続されるコンテンツサーバであってもよい。また自動予約は、毎日／毎週予約、キーワード予約およびおすすめ予約のうち２つだけを含む構成であってもよい。
【０１８６】
【発明の効果】
本発明によれば、複数のコンテンツの記録が予約される状態で、それらの提供時間枠が少なくとも部分的に一致する重複予約が生じたとき、利用者によって記録を予約する手動予約を、予め設定される条件を満たすコンテンツの記録を予約する自動予約よりも優先させる。これによって簡単な記録予約の優先順位に従って、利用者の意思が反映された記録予約を実現することができる。したがって利用者が望むコンテンツを確実に取得して記録することができる。
【０１８７】
また本発明によれば、自動予約の繰返し予約、キーワード予約およびおすすめ予約に、予め定める順に優先順位が設定されている。これによって自動予約同士で重複予約が生じたとき、前記優先順位に従って、優先順位の高い予約を優先させて、コンテンツを記録するように制御される。したがって簡単な優先順位の設定で、利用者の嗜好の適合度合いが高いコンテンツを記録することができる。
【０１８８】
また本発明によれば、コンテンツ取得手段が予約されていないコンテンツを取得中に、予約されたコンテンツの提供開始時刻に至ったとき、予約されたコンテンツを優先的に取得するように制御されるので、利用者が望むコンテンツを確実に取得することができる。
【０１８９】
また本発明によれば、重複予約が生じたとき、重複予約が生じたことを報知するので、利用者が所望のコンテンツの記録を予約したときに、重複予約が生じたか否かを容易に識別することができる。
【０１９０】
また本発明によれば、記録予約するにあたって、記録手段にコンテンツを記録するときの記録の質を指定するこができる。同一種別の予約同士で重複予約が生じたとき、記録の質が高い予約を優先させて、利用者にとって非常に重要度の高いと思われるコンテンツを記録予約する。これによって利用者の意思がより反映された記録予約を実現することができる。
【０１９１】
また本発明によれば、同一種別の予約同士で重複予約が生じたとき、最新の予約を優先させて、コンテンツを記録するように制御するので、利用者が、記録予約の優先順位を直感的にかつ容易に理解することができる。
【０１９２】
また本発明によれば、同一種別の予約同士で重複予約が生じたとき、コンテンツと、利用者の嗜好を表わす嗜好情報との一致度合が高いコンテンツの予約を優先させて、コンテンツを記録するように制御するので、利用者が記録したいと思うコンテンツのうち、利用者の嗜好に合ったコンテンツを記録することができる。
【０１９３】
また本発明によれば、重複予約が生じたとき、利用者によって記録を予約する手動予約を、予め設定される条件を満たすコンテンツの記録を予約する自動予約よりも優先させる。これによって簡単な記録予約の優先順位に従って、利用者の意思が反映された記録予約を実現することができる。したがって利用者が望むコンテンツを確実に取得して記録することができる。
【０１９４】
また本発明によれば、コンピュータを用いて、前述のような利用者が望むコンテンツを取得して記録することを実現することができる。
【図面の簡単な説明】
【図１】本発明の実施の一形態の画像記録再生装置１の構成を示すブロック図である。
【図２】表示装置２１に表示されるアプリメニューＭ１を示す図である。
【図３】表示装置２１に表示されるチャンネル別番組表Ｍ２を示す図である。
【図４】表示装置２１に表示される番組ナビＭ３を示す図である。
【図５】表示装置２１に表示される記録一覧表Ｍ４を示す図である。
【図６】表示装置２１に表示される予約方法選択メニューＭ５を示す図である。
【図７】記録予約における概略的な手順および表示されるメニューを示す図である。
【図８】表示装置２１に表示される手動予約登録メニューＭ６を示す図である。
【図９】表示装置２１に表示されるキーワード一覧表Ｍ７を示す図である。
【図１０】表示装置２１に表示されるキーワード編集メニューＭ８を示す図である。
【図１１】表示装置２１に表示される予約確認メニューＭ９を示す図である。
【図１２】記録予約が重複したときに表示装置２１に表示される予約重複確認メニューＭ１０を示す図である。
【図１３】記録部４に記録予約されるコンテンツを記録可能な記憶容量が無いときに表示装置２１に表示される容量不足確認メニューＭ１１を示す図である。
【図１４】手動予約を登録するときの重複予約に関する処理の手順を示すフローチャートである。
【図１５】記録予約が重複したときに表示装置２１に表示される予約重複確認メニューＭ２０を示す図である。
【図１６】手動予約を登録する手順を示すフローチャートである。
【図１７】毎日／毎週予約登録メニューＭ１２を示す図である。
【図１８】自動予約を登録するときの処理の手順を示すフローチャートである。
【図１９】図１８のステップｃ５における重複チェック処理の手順を示すフローチャートである。
【符号の説明】
１  画像記録再生装置
２  画像入出力部
４  記録部
７  指示入力部
１１  中央制御部
【図１】
2004153729.tif 000008
【図２】
2004153729.tif 000009
【図３】
2004153729.tif 000010
【図４】
2004153729.tif 000011
【図５】
2004153729.tif 000012
【図６】
2004153729.tif 000013
【図７】
2004153729.tif 000014
【図８】
2004153729.tif 000015
【図９】
2004153729.tif 000016
【図１０】
2004153729.tif 000017
【図１１】
2004153729.tif 000018
【図１２】
2004153729.tif 000019
【図１３】
2004153729.tif 000020
【図１４】
2004153729.tif 000021
【図１５】
2004153729.tif 000022
【図１６】
2004153729.tif 000023
【図１７】
2004153729.tif 000024
【図１８】
2004153729.tif 000025
【図１９】
2004153729.tif 000026